(57)【要約】  一実施形態による方法では、第１のフェムトベースステーションによりフェムトベースステーションエアインターフェイスを経て少なくとも１つの隣接フェムトベースステーションから少なくとも１つの隣接プリアンブルを受信する（４０２）。更に、第１のフェムトベースステーションによりガイド型（ＤＳＬ）インターネット接続を経てマクロベースステーションへ干渉レポートを送信し、この干渉レポートは、少なくとも１つの隣接フェムトベースステーションから受信された少なくとも１つの隣接プリアンブルに少なくとも一部分基づく（４０４）。更に、第１のフェムトベースステーションによりマクロベースステーションからガイド型インターネット接続を経てリソース割り当てメッセージを受信する（４０６）。更に、第１のフェムトベースステーションによりフェムトベースステーションエアインターフェイスを経て第１フェムトベースステーションプリアンブルを送信し、このプリアンブルは、少なくとも一部分はリソース割り当てメッセージにより決定された時間に送信される（４０８）。【選択図】図２
2011526749.tif 000002
【特許請求の範囲】
【請求項１】
第１のフェムトベースステーションにより、フェムトベースステーションエアインターフェイスを経て、少なくとも１つの隣接フェムトベースステーションから少なくとも１つの隣接プリアンブルを受信するステップと、
前記第１のフェムトベースステーションにより、ガイド型インターネット接続を経てマクロベースステーションへ干渉レポートを送信するステップであって、この干渉レポートは、前記少なくとも１つの隣接フェムトベースステーションから受信した少なくとも１つの隣接プリアンブルに少なくとも一部分基づくものであるステップと、
前記第１のフェムトベースステーションにより、前記マクロベースステーションからガイド型インターネット接続を経て、リソース割り当てメッセージを受信するステップと、
前記第１のフェムトベースステーションにより、前記フェムトベースステーションエアインターフェイスを経て第１のフェムトベースステーションプリアンブルを送信するステップであって、この第１のフェムトベースステーションプリアンブルは、少なくとも一部分は前記リソース割り当てメッセージにより決定された時間に送信されるものであるステップと、
を備えた方法。
【請求項２】
前記マクロベースステーションのマクロベースステーションエアインターフェイスに適合するプロトコルにより、フェムトベースステーションエアインターフェイスを経て前記フェムトベースステーションが少なくとも１つの移動ステーションと通信することを更に含む、請求項１に記載の方法。
【請求項３】
前記受信は、前記第１のフェムトベースステーションにより、フェムトベースステーションエアインターフェイスを経て、前記少なくとも１つの隣接フェムトベースステーションから少なくとも１つの隣接プリアンブルを受信することを含み、その少なくとも１つの隣接プリアンブルは、前記少なくとも１つの隣接フェムトベースステーションを識別するものであり、更に、前記送信は、前記第１のフェムトベースステーションにより、ガイド型インターネット接続を経て前記マクロベースステーションへ干渉レポートを送信することも含み、この干渉レポートは、前記少なくとも１つの隣接フェムトベースステーションを識別するものである、請求項１に記載の方法。
【請求項４】
前記送信は、前記第１のフェムトベースステーションにより、デジタル加入者ライン（ＤＳＬ）インターネット接続を経て前記マクロベースステーションへ前記干渉レポートを送信することを含む、請求項１に記載の方法。
【請求項５】
前記送信は、前記第１のフェムトベースステーションにより、ガイド型インターネット接続を経て前記マクロベースステーションへ前記干渉レポートを送信することを含み、この干渉レポートは、少なくとも１つの隣接プリアンブルの受信信号強度を指示する、請求項１に記載の方法。
【請求項６】
前記送信は、前記第１のフェムトベースステーションにより、ガイド型インターネット接続及びゲートウェイを経て前記マクロベースステーションへ前記干渉レポートを送信することを含む、請求項１に記載の方法。
【請求項７】
前記送信は、前記第１のフェムトベースステーションにより、前記フェムトベースステーションエアインターフェイスを経て、第１のフェムトベースステーションプリアンブルを送信することを含み、この第１のフェムトベースステーションプリアンブルは、マクロベースステーションプリアンブルが前記マクロベースステーションによりマクロベースステーションエアインターフェイスを経て送信された後のオフセット時間に送信され、このオフセット時間は、少なくとも一部分は前記リソース割り当てメッセージにより決定される、請求項１に記載の方法。
【請求項８】
前記送信は、前記第１のフェムトベースステーションにより、フェムトベースステーションエアインターフェイスを経て、第１のフェムトベースステーションプリアンブルを送信することを含み、この第１のフェムトベースステーションプリアンブルは、前記マクロベースステーションがマクロベースステーションエアインターフェイスを経てマクロベースステーションプリアンブルを送信した、ある数の直交周波数分割多重化（ＯＦＤＭ）記号の後に、送信され、このＯＦＤＭ記号の数は、少なくとも一部分はリソース割り当てメッセージにより決定される、請求項１に記載の方法。
【請求項９】
前記第１のフェムトベースステーションにより前記フェムトベースステーションエアインターフェイスを経てデータを送信するステップを更に備え、このデータは、前記プリアンブルが送信された後に開始し且つ少なくとも一部分は前記リソース割り当てメッセージにより決定された時間に終了する期間中に送信される、請求項１に記載の方法。
【請求項１０】
グローバルポジショニングシステム（ＧＰＳ）衛星からタイミング信号を受信するステップを更に備え、前記プリアンブルの送信は、少なくとも一部分は前記リソース割り当てメッセージ及び前記タイミング信号により決定された時間に前記第１のフェムトベースステーションプリアンブルを送信することを含む、請求項１に記載の方法。
【請求項１１】
前記マクロベースステーションへリソース要求を送信するステップと、
前記マクロベースステーションから第２のリソース割り当てメッセージを受信するステップと、
前記フェムトベースステーションプリアンブルが送信された後に開始し且つ少なくとも一部分はリソース割り当てメッセージにより決定された時間に終了する期間中に、移動ステーションへデータを送信するステップと、
を更に備えた請求項１に記載の方法。
【請求項１２】
前記フェムトベースステーションエアインターフェイスは、ＩＥＥＥ８０２．１６エアインターフェイスを含む、請求項１に記載の方法。
【請求項１３】
マクロベースステーションにより、複数のフェムトベースステーションの各々から、ガイド型インターネット接続を経て干渉レポートを受信するステップであって、この干渉レポートは、隣接フェムトベースステーションから受信したフェムトベースステーションプリアンブルの受信信号強度を指示するものであるステップと、
前記複数のフェムトベースステーションの各々から受信された干渉レポートに基づき、前記複数のフェムトベースステーションがスレッシュホールド干渉レベルを越えると決定するステップと、
前記マクロベースステーションにより、前記ガイド型インターネット接続を経て、前記複数のフェムトベースステーションのうちの少なくとも２つの各々へ、リソース割り当てメッセージを送信するステップであって、このリソース割り当てメッセージは、前記複数のフェムトベースステーションがスレッシュホールド干渉レベルを越えるとの決定に少なくとも一部分基づくものであり、且つ前記複数のフェムトベースステーションの各々がそれらの各フェムトベースステーションプリアンブルをいつ送信すべきか指示するものであるステップと、
を備えた方法。
【請求項１４】
前記マクロベースステーションによりマクロベースステーションエアインターフェイスを経て少なくとも１つの移動ステーションへマクロベースステーションプリアンブルを送信するステップを更に備え、前記リソース割り当てメッセージは、マクロベースステーションプリアンブルの後に、複数のフェムトベースステーションの各々がそれらの各フェムトベースステーションプリアンブルをいつ送信しなければならないかのオフセット時間を指示する、請求項１３に記載の方法。
【請求項１５】
前記送信は、前記複数のフェムトベースステーションへリソース割り当てメッセージを送信することを含み、そのリソース割り当てメッセージは、マクロベースステーションのプリアンブルから、何個の直交周波数分割多重化（ＯＦＤＭ）記号の後に、前記複数のフェムトベースステーションがそれらの各フェムトベースステーションプリアンブルを送信しなければならないか指示する、請求項１３に記載の方法。
【請求項１６】
前記ガイド型インターネット接続を経て前記複数のフェムトベースステーションへ同期メッセージを送信するステップを更に備え、この同期メッセージは、前記マクロベースステーションがいつマクロベースステーションプリアンブルを少なくとも１つの移動ステーションへ送信するか指示し、リソース割り当てメッセージの前記送信は、前記複数のフェムトベースステーションの少なくとも２つへ前記リソース割り当てメッセージを送信することを含み、そのリソース割り当てメッセージは、前記マクロベースステーションがマクロベースステーションプリアンブルを送信したどれほど後に、前記複数のフェムトベースステーションがそれらの各フェムトベースステーションプリアンブルを送信しなければならないか指示する、請求項１３に記載の方法。
【請求項１７】
前記リソース割り当てメッセージは、更に、複数のフェムトベースステーションの各々に対して、複数のフェムトベースステーションの各々がそれらの各フェムトベースステーションプリアンブルの送信後にデータを送信すべき期間を指示する、請求項１３に記載の方法。
【請求項１８】
前記複数のフェムトベースステーションの各々から受信された干渉レポートは、フェムトベースステーションプリアンブルが受信されたところの隣接フェムトベースステーションのアイデンティティを指示する、請求項１３に記載の方法。
【請求項１９】
前記マクロベースステーションにより前記フェムトベースステーションから前記ガイド型インターネット接続を経てリソース要求を受信するステップと、
前記マクロベースステーションにより前記ガイド型インターネット接続を経て前記フェムトベースステーションへ第２のリソース割り当てメッセージを送信するステップであって、この第２のリソース割り当てメッセージは、前記フェムトベースステーションが前記フェムトベースステーションプリアンブルの送信の後にデータを送信すべき期間を指示するものであるステップと、
を更に備えた請求項１３に記載の方法。
【請求項２０】
前記マクロベースステーションは、ＩＥＥＥ  ８０２．１６ＷｉＭＡＸマクロベースステーションを含み、そして前記フェムトベースステーションの各々は、ＩＥＥＥ  ８０２．１６ＷｉＭＡＸフェムトベースステーションを含む、請求項１３に記載の方法。
【請求項２１】
ガイド型インターネット接続を経てマクロベースステーションと通信するように構成されたガイド型トランシーバと、
エアインターフェイスを経て複数の移動ステーションと通信するように構成された非ガイド型トランシーバと、
コントローラであって、
前記非ガイド型トランシーバのエアインターフェイスを経て少なくとも１つの隣接フェムトベースステーションから受信された少なくとも１つの隣接プリアンブルを処理し、
前記少なくとも１つの隣接フェムトベースステーションから受信された少なくとも１つの隣接プリアンブルに少なくとも一部分基づき、前記ガイド型トランシーバを経て前記マクロベースステーションへ送信するための干渉レポートを発生し、
前記マクロベースステーションから前記ガイド型トランシーバを経て受信されたリソース割り当てメッセージを処理し、そして
少なくとも一部分は前記リソース割り当てメッセージにより決定された時間に前記非ガイド型トランシーバが送信するための第１のフェムトベースステーションプリアンブルを発生する、
ように構成されたコントローラと、
を備えた装置。
【請求項２２】
前記コントローラは、更に、前記マクロベースステーションのマクロベースステーションエアインターフェイスに適合するプロトコルにより、非ガイド型トランシーバのエアインターフェイスを経て少なくとも１つの移動ステーションと通信するように構成される、請求項２１に記載の装置。
【請求項２３】
前記コントローラは、
前記少なくとも１つの隣接フェムトベースステーションから前記非ガイド型トランシーバのエアインターフェイスを経て受信された少なくとも１つの隣接プリアンブルを処理するように構成され、その少なくとも１つの隣接プリアンブルは、少なくとも１つの隣接フェムトベースステーションを識別するものであり、
更に、干渉レポートを発生するように構成され、この干渉レポートは、少なくとも１つの隣接フェムトベースステーションを識別するものである、
請求項２１に記載の装置。
【請求項２４】
前記ガイド型トランシーバは、デジタル加入者ライン（ＤＳＬ）を経てインターネットに接続するように構成される、請求項２１に記載の装置。
【請求項２５】
前記コントローラは、干渉レポートを発生するように構成され、この干渉レポートは、少なくとも１つの隣接プリアンブルの受信信号強度を指示する、請求項２１に記載の装置。
【請求項２６】
前記装置は、前記ガイド型インターネット接続及びゲートウェイを経て前記マクロベースステーションへ干渉レポートを送信するように構成される、請求項２１に記載の装置。
【請求項２７】
前記コントローラは、前記マクロベースステーションによりマクロベースステーションエアインターフェイスを経て送信されたマクロベースステーションプリアンブルの後のオフセット時間に前記非ガイド型トランシーバが送信するための第１のフェムトベースステーションプリアンブルを発生するように構成され、そのオフセット時間は、少なくとも一部分はリソース割り当てメッセージにより決定される、請求項２１に記載の装置。
【請求項２８】
前記コントローラは、前記マクロベースステーションがマクロベースステーションエアインターフェイスを経てマクロベースステーションプリアンブルを送信した、ある数の直交周波数分割多重化（ＯＦＤＭ）記号の後に、エアインターフェイスを経て前記非ガイド型トランシーバが送信するための第１のフェムトベースステーションプリアンブルを発生するように構成され、そのＯＦＤＭ記号の数は、少なくとも一部分はリソース割り当てメッセージにより決定される、請求項２１に記載の装置。
【請求項２９】
前記コントローラは、更に、前記プリアンブルが送信された後に開始し且つ少なくとも一部分は前記リソース割り当てメッセージにより決定された時間に終了する期間中に、エアインターフェイスを経て、前記非ガイド型トランシーバが送信するためのデータを発生するように構成された、請求項２１に記載の装置。
【請求項３０】
ＧＰＳ衛星からタイミング信号を受信するように構成されたグローバルポジショニングシステム（ＧＰＳ）受信器を更に備え、前記コントローラは、少なくとも一部分はリソース割り当てメッセージ及びタイミング信号により決定される時間に、エアインターフェイスを経て、前記非ガイド型トランシーバが送信するためのプリアンブルを発生するように構成された、請求項２１に記載の装置。
【請求項３１】
前記コントローラは、更に、
前記ガイド型トランシーバが前記マクロベースステーションへ送信するためのリソース要求を発生し、
前記ガイド型トランシーバが前記マクロベースステーションから受信した第２のリソース割り当てメッセージを処理し、
前記フェムトベースステーションプリアンブルが送信された後に開始し且つ少なくとも一部分は前記リソース割り当てメッセージによって決定された時間に終了する期間中に、前記非ガイド型トランシーバのエアインターフェイスを経て移動ステーションへデータを送信する、
というように構成された請求項２１に記載の装置。
【請求項３２】
前記非ガイド型トランシーバのフェムトベースステーションエアインターフェイスは、ＩＥＥＥ  ８０２．１６エアインターフェイスを含む、請求項２１に記載の装置。
【請求項３３】
ガイド型インターネット接続を経て複数のフェムトベースステーションと通信するように構成されたガイド型トランシーバと、
エアインターフェイスを経て複数の移動ステーションと通信するように構成された非ガイド型トランシーバと、
コントローラであって、
前記複数のフェムトベースステーションから前記ガイド型トランシーバを経て受信された干渉レポートを処理し、この干渉レポートは、隣接フェムトベースステーションから受信されたフェムトベースステーションプリアンブルの受信信号強度を指示し、更に、
前記複数のフェムトベースステーションの各々から受信された干渉レポートに基づいて、前記複数のフェムトベースステーションがスレッシュホールド干渉レベルを越えることを決定し、そして
前記ガイド型トランシーバを経て前記複数のフェムトベースステーションの各々へ前記ガイド型トランシーバが送信するためのリソース割り当てメッセージを発生し、このリソース割り当てメッセージは、前記複数のフェムトベースステーションがスレッシュホールド干渉レベルを越えるとの決定に少なくとも一部分基づくもので、且つ前記複数のフェムトベースステーションの各々がそれらの各フェムトベースステーションプリアンブルをいつ送信すべきか指示する、
ように構成されたコントローラと、
を備えた装置。
【請求項３４】
前記コントローラは、更に、エアインターフェイスを経て少なくとも１つの移動ステーションへ前記非ガイド型トランシーバが送信するためのマクロベースステーションプリアンブルを発生するように構成され、
前記リソース割り当てメッセージは、マクロベースステーションプリアンブルの後に、複数のフェムトベースステーションの各々がそれらの各フェムトベースステーションプリアンブルをいつ送信しなければならないかのオフセット時間を指示する、請求項３３に記載の装置。
【請求項３５】
前記リソース割り当てメッセージは、マクロベースステーションのプリアンブルから、何個の直交周波数分割多重化（ＯＦＤＭ）記号の後に、前記複数のフェムトベースステーションがそれらの各フェムトベースステーションプリアンブルを送信しなければならないか指示する、請求項３３に記載の装置。
【請求項３６】
前記コントローラは、更に、前記ガイド型インターネット接続を経て前記複数のフェムトベースステーションへ前記ガイド型トランシーバが送信するための同期メッセージを発生するように構成され、この同期メッセージは、前記マクロベースステーションがマクロベースステーションプリアンブルを少なくとも１つの移動ステーションへいつ送信するか指示し、
前記リソース割り当てメッセージは、前記マクロベースステーションがマクロベースステーションプリアンブルを送信したどれほど後に、前記複数のフェムトベースステーションがそれらの各フェムトベースステーションプリアンブルを送信しなければならないか指示する、請求項３３に記載の装置。
【請求項３７】
前記リソース割り当てメッセージは、更に、複数のフェムトベースステーションの各々に対して、複数のフェムトベースステーションの各々がそれらの各フェムトベースステーションプリアンブルの送信後にデータを送信すべき期間を指示する、請求項３３に記載の装置。
【請求項３８】
前記複数のフェムトベースステーションの各々から受信された干渉レポートは、フェムトベースステーションプリアンブルが受信されたところの隣接フェムトベースステーションのアイデンティティを指示する、請求項３３に記載の装置。
【請求項３９】
前記コントローラは、更に、
前記複数のフェムトベースステーションの１つから前記ガイド型トランシーバを経て受信されたリソース要求を処理し、
前記ガイド型トランシーバが前記複数のフェムトベースステーションの１つへ送信するための第２のリソース割り当てメッセージを発生し、この第２のリソース割り当てメッセージは、前記フェムトベースステーションが前記フェムトベースステーションプリアンブルの送信の後にデータを送信すべき期間を指示する、請求項３３に記載の装置。
【請求項４０】
前記装置は、ＩＥＥＥ  ８０２．１６ＷｉＭＡＸマクロベースステーションを含み、そして前記フェムトベースステーションの各々は、ＩＥＥＥ  ８０２．１６ＷｉＭＡＸフェムトベースステーションを含む、請求項３３に記載の装置。
【請求項４１】
プリアンブルを送信するためのコンピュータプログラム製品において、このコンピュータプログラム製品は、コンピュータ読み取り可能な媒体上で有形に実施され、そして実行時に、複数の移動ステーションにサービスするフェムトベースステーションが、
フェムトベースステーションのエアインターフェイスを経て少なくとも１つの隣接フェムトベースステーションから少なくとも１つの隣接プリアンブルを受信し、
ガイド型インターネット接続を経てマクロベースステーションへ干渉レポートを送信し、この干渉レポートは、少なくとも１つの隣接フェムトベースステーションから受信された少なくとも１つの隣接プリアンブルに少なくとも一部分基づくものであり、
前記マクロベースステーションから前記ガイド型インターネット接続を経てリソース割り当てメッセージを受信し、
前記フェムトベースステーションのエアインターフェイスを経て、第１のフェムトベースステーションプリアンブルを送信し、この第１のフェムトベースステーションプリアンブルは、少なくとも一部分はリソース割り当てメッセージにより決定された時間に送信されるものである、
ようにさせるよう構成された実行可能なコードを含むコンピュータプログラム製品。
【請求項４２】
前記マクロベースステーションのマクロベースステーションエアインターフェイスに適合するプロトコルにより、フェムトベースステーションエアインターフェイスを経て前記フェムトベースステーションが少なくとも１つの移動ステーションと通信するようにさせるよう構成された、請求項４１に記載のコンピュータプログラム製品。
【請求項４３】
前記受信は、前記第１のフェムトベースステーションにより、フェムトベースステーションエアインターフェイスを経て、少なくとも１つの隣接フェムトベースステーションから少なくとも１つの隣接プリアンブルを受信することを含み、その少なくとも１つの隣接プリアンブルは、少なくとも１つの隣接フェムトベースステーションを識別するものであり、そして前記送信は、前記第１のフェムトベースステーションにより、前記ガイド型インターネット接続を経て前記マクロベースステーションへ干渉レポートを送信することを含み、この干渉レポートは、前記少なくとも１つの隣接フェムトベースステーションを識別するものである、請求項４１に記載のコンピュータプログラム製品。
【請求項４４】
前記送信は、前記第１のフェムトベースステーションにより、デジタル加入者ライン（ＤＳＬ）インターネット接続を経て前記マクロベースステーションへ干渉レポートを送信することを含む、請求項４１に記載のコンピュータプログラム製品。
【請求項４５】
前記送信は、前記第１のフェムトベースステーションにより、前記ガイド型インターネット接続を経て前記マクロベースステーションへ干渉レポートを送信することを含み、この干渉レポートは、前記少なくとも１つの隣接プリアンブルの受信信号強度を指示する、請求項４１に記載のコンピュータプログラム製品。
【請求項４６】
前記送信は、前記第１のフェムトベースステーションにより、前記ガイド型インターネット接続及びゲートウェイを経て前記マクロベースステーションへ干渉レポートを送信することを含む、請求項４１に記載のコンピュータプログラム製品。
【請求項４７】
前記送信は、前記第１のフェムトベースステーションにより、フェムトベースステーションエアインターフェイスを経て、第１のフェムトベースステーションプリアンブルを送信することを含み、その第１のフェムトベースステーションプリアンブルは、前記マクロベースステーションによりマクロベースステーションエアインターフェイスを経て送信されたマクロベースステーションプリアンブルの後のオフセット時間に送信され、このオフセット時間は、少なくとも一部分はリソース割り当てメッセージにより決定される、請求項４１に記載のコンピュータプログラム製品。
【請求項４８】
前記送信は、前記第１のフェムトベースステーションにより、フェムトベースステーションエアインターフェイスを経て、第１のフェムトベースステーションプリアンブルを送信することを含み、この第１のフェムトベースステーションプリアンブルは、前記マクロベースステーションがマクロベースステーションエアインターフェイスを経てマクロベースステーションプリアンブルを送信した、ある数の直交周波数分割多重化（ＯＦＤＭ）記号の後に、送信され、このＯＦＤＭ記号の数は、少なくとも一部分はリソース割り当てメッセージにより決定される、請求項４１に記載のコンピュータプログラム製品。
【請求項４９】
前記第１のフェムトベースステーションにより前記フェムトベースステーションエアインターフェイスを経てデータを送信することを更に備え、このデータは、前記プリアンブルが送信された後に開始し且つ少なくとも一部分は前記リソース割り当てメッセージにより決定された時間に終了する期間中に送信される、請求項４１に記載のコンピュータプログラム製品。
【請求項５０】
更に、前記フェムトベースステーションが、グローバルポジショニングシステム（ＧＰＳ）衛星からタイミング信号を受信するようにさせるよう構成され、前記プリアンブルの送信は、少なくとも一部分は前記リソース割り当てメッセージ及び前記タイミング信号により決定された時間に、前記第１のフェムトベースステーションプリアンブルを送信することを含む、請求項４１に記載のコンピュータプログラム製品。
【請求項５１】
更に、前記フェムトベースステーションが、
前記マクロベースステーションへリソース要求を送信し、
前記マクロベースステーションから第２のリソース割り当てメッセージを受信し、
前記フェムトベースステーションプリアンブルが送信された後に開始し且つ少なくとも一部分はリソース割り当てメッセージにより決定された時間に終了する期間中に、移動ステーションへデータを送信する、
ようにさせるよう構成された請求項４１に記載のコンピュータプログラム製品。
【請求項５２】
前記フェムトベースステーションエアインターフェイスは、ＩＥＥＥ８０２．１６エアインターフェイスを含む、請求項４１に記載のコンピュータプログラム製品。
【請求項５３】
プリアンブルオフセットを決定するためのコンピュータプログラム製品において、このコンピュータプログラム製品は、コンピュータ読み取り可能な媒体上で有形に実施され、そして実行時に、複数のフェムトベースステーションにサービスするマクロベースステーションが、
前記複数のフェムトベースステーションの各々からガイド型インターネット接続を経て干渉レポートを受信し、この干渉レポートは、隣接フェムトベースステーションから受信されたフェムトベースステーションプリアンブルの受信信号強度を指示するものであり、
前記複数のフェムトベースステーションの各々から受信された干渉レポートに基づき、前記複数のフェムトベースステーションがスレッシュホールド干渉レベルを越えることを決定し、
前記複数のフェムトベースステーションの各々へ前記ガイド型インターネット接続を経てリソース割り当てメッセージを送信し、このリソース割り当てメッセージは、前記複数のフェムトベースステーションがスレッシュホールド干渉レベルを越えるとの決定に少なくとも一部分基づくもので、且つ前記複数のフェムトベースステーションの各々がそれらの各フェムトベースステーションプリアンブルをいつ送信すべきか指示するものである、
ようにさせるよう構成された実行可能なコードを含むコンピュータプログラム製品。
【請求項５４】
更に、前記マクロベースステーションが、マクロベースステーションエアインターフェイスを経て少なくとも１つの移動ステーションへマクロベースステーションプリアンブルを送信するようにさせるよう構成され、前記リソース割り当てメッセージは、マクロベースステーションプリアンブルの後に、複数のフェムトベースステーションの各々がそれらの各フェムトベースステーションプリアンブルをいつ送信しなければならないかのオフセット時間を指示する、請求項５３に記載のコンピュータプログラム製品。
【請求項５５】
前記送信は、前記複数のフェムトベースステーションへオフセットメッセージを送信することを含み、そのリソース割り当てメッセージは、マクロベースステーションのプリアンブルから、何個の直交周波数分割多重化（ＯＦＤＭ）記号の後に、前記複数のフェムトベースステーションがそれらの各フェムトベースステーションプリアンブルを送信しなければならないか指示する、請求項５３に記載のコンピュータプログラム製品。
【請求項５６】
更に、前記マクロベースステーションが、前記ガイド型インターネット接続を経て前記複数のフェムトベースステーションへ同期メッセージを送信するようにさせるよう構成され、この同期メッセージは、前記マクロベースステーションがいつマクロベースステーションプリアンブルを少なくとも１つの移動ステーションへ送信するか指示し、リソース割り当てメッセージの前記送信は、前記複数のフェムトベースステーションの少なくとも２つへ前記リソース割り当てメッセージを送信することを含み、そのリソース割り当てメッセージは、前記マクロベースステーションがマクロベースステーションプリアンブルを送信したどれほど後に、前記複数のフェムトベースステーションがそれらの各フェムトベースステーションプリアンブルを送信しなければならないか指示する、請求項５３に記載のコンピュータプログラム製品。
【請求項５７】
前記リソース割り当てメッセージは、更に、複数のフェムトベースステーションの各々に対して、複数のフェムトベースステーションの各々がそれらの各フェムトベースステーションプリアンブルの送信後にデータを送信すべき期間を指示する、請求項５３に記載のコンピュータプログラム製品。
【請求項５８】
前記複数のフェムトベースステーションの各々から受信された干渉レポートは、フェムトベースステーションプリアンブルが受信されたところの隣接フェムトベースステーションのアイデンティティを指示する、請求項５３に記載のコンピュータプログラム製品。
【請求項５９】
更に、前記マクロベースステーションが、
前記マクロベースステーションにより前記フェムトベースステーションから前記ガイド型インターネット接続を経てリソース要求を受信し、
前記マクロベースステーションにより前記ガイド型インターネット接続を経て前記フェムトベースステーションへ第２のリソース割り当てメッセージを送信する、
ようにさせるよう構成され、この第２のリソース割り当てメッセージは、前記フェムトベースステーションが前記フェムトベースステーションプリアンブルの送信の後にデータを送信すべき期間を指示する、請求項５３に記載のコンピュータプログラム製品。
【請求項６０】
前記マクロベースステーションは、ＩＥＥＥ  ８０２．１６ＷｉＭＡＸマクロベースステーションを含み、そして前記フェムトベースステーションの各々は、ＩＥＥＥ  ８０２．１６ＷｉＭＡＸフェムトベースステーションを含む、請求項５３に記載のコンピュータプログラム製品。
【発明の詳細な説明】
【技術分野】
【０００１】
本発明は、ワイヤレスネットワークに係る。
【背景技術】
【０００２】
ＩＥＥＥ  ８０２．１６“Worldwide interoperability for Microwave Access (WiMAX)”ネットワークのようなワイヤレスネットワークは、移動ステーションへワイヤレスデータサービスを提供する。これらワイヤレスネットワークは、移動ステーションとワイヤレス通信するベースステーションを備えている。
【発明の概要】
【０００３】
一実施形態による方法は、第１のフェムトベースステーションにより、フェムトベースステーションエアインターフェイスを経て、少なくとも１つの隣接フェムトベースステーションから少なくとも１つの隣接プリアンブルを受信することを含む。この方法は、更に、第１のフェムトベースステーションにより、ガイド型インターネット接続を経てマクロベースステーションへ干渉レポートを送信することも含み、この干渉レポートは、少なくとも１つの隣接フェムトベースステーションから受信した少なくとも１つの隣接プリアンブルに少なくとも一部分基づくものである。この方法は、更に、第１のフェムトベースステーションにより、マクロベースステーションからガイド型インターネット接続を経て、リソース割り当てメッセージを受信することも含む。この方法は、更に、第１のフェムトベースステーションにより、フェムトベースステーションエアインターフェイスを経て、第１のフェムトベースステーションプリアンブルを送信することを含み、この第１のフェムトベースステーションプリアンブルは、少なくとも一部分はリソース割り当てメッセージにより決定された時間に送信される。
【０００４】
別の実施形態による方法は、マクロベースステーションにより、複数のフェムトベースステーションの各々から、ガイド型インターネット接続を経て干渉レポートを受信することを含み、この干渉レポートは、隣接フェムトベースステーションから受信したフェムトベースステーションプリアンブルの受信信号強度を指示するものである。この方法は、更に、複数のフェムトベースステーションの各々から受信された干渉レポートに基づいて、複数のフェムトベースステーションがスレッシュホールド干渉レベルを越えると決定することを含む。この方法は、更に、マクロベースステーションにより、ガイド型インターネット接続を経て、複数のフェムトベースステーションのうちの少なくとも２つの各々へ、リソース割り当てメッセージを送信することを含み、このリソース割り当てメッセージは、複数のフェムトベースステーションがスレッシュホールド干渉レベルを越えるとの決定に少なくとも一部分基づくものであり、且つ複数のフェムトベースステーションの各々がそれらの各フェムトベースステーションプリアンブルをいつ送信すべきか指示するものである。
【０００５】
別の実施形態による装置は、ガイド型インターネット接続を経てマクロベースステーションと通信するように構成されたガイド型トランシーバと、エアインターフェイスを経て複数の移動ステーションと通信するように構成された非ガイド型トランシーバと、コントローラとを備えている。このコントローラは、非ガイド型トランシーバのエアインターフェイスを経て少なくとも１つの隣接フェムトベースステーションから受信された少なくとも１つの隣接プリアンブルを処理し、少なくとも１つの隣接フェムトベースステーションから受信された少なくとも１つの隣接プリアンブルに少なくとも一部分基づき、ガイド型トランシーバを経てマクロベースステーションへ送信するための干渉レポートを発生し、マクロベースステーションからガイド型トランシーバを経て受信されたリソース割り当てメッセージを処理し、そして少なくとも一部分はそのリソース割り当てメッセージにより決定された時間に非ガイド型トランシーバが送信するための第１のフェムトベースステーションプリアンブルを発生するように構成される。
【０００６】
別の実施形態による装置は、ガイド型インターネット接続を経て複数のフェムトベースステーションと通信するように構成されたガイド型トランシーバと、エアインターフェイスを経て複数の移動ステーションと通信するように構成された非ガイド型トランシーバと、コントローラとを備えている。このコントローラは、複数のフェムトベースステーションからガイド型トランシーバを経て受信した干渉レポートを処理し、この干渉レポートは、隣接フェムトベースステーションから受信されたフェムトベースステーションプリアンブルの受信信号強度を指示するものであり、更に、複数のフェムトベースステーションの各々から受信された干渉レポートに基づいて、複数のフェムトベースステーションがスレッシュホールド干渉レベルを越えることを決定し、そしてガイド型トランシーバを経て複数のフェムトベースステーションの各々へガイド型トランシーバが送信するためのリソース割り当てメッセージを発生し、このリソース割り当てメッセージは、複数のフェムトベースステーションがスレッシュホールド干渉レベルを越えるとの決定に少なくとも一部分基づくもので、且つ複数のフェムトベースステーションの各々がそれらの各フェムトベースステーションプリアンブルをいつ送信すべきか指示するものである。
【０００７】
別の実施形態によれば、プリアンブルを送信するためのコンピュータプログラム製品は、コンピュータ読み取り可能な媒体上で有形に実施され、そして実行時に、複数の移動ステーションにサービスするフェムトベースステーションが、フェムトベースステーションのエアインターフェイスを経て少なくとも１つの隣接フェムトベースステーションから少なくとも１つの隣接プリアンブルを受信し、ガイド型インターネット接続を経てマクロベースステーションへ干渉レポートを送信し、この干渉レポートは、少なくとも１つの隣接フェムトベースステーションから受信された少なくとも１つの隣接プリアンブルに少なくとも一部分基づくものであり、更に、マクロベースステーションからガイド型インターネット接続を経てリソース割り当てメッセージを受信し、そしてフェムトベースステーションのエアインターフェイスを経て、第１のフェムトベースステーションプリアンブルを送信し、この第１のフェムトベースステーションプリアンブルは、少なくとも一部分はリソース割り当てメッセージにより決定された時間に送信されるものである、ようにさせるよう構成された実行可能なコードを含む。
【０００８】
別の実施形態によれば、プリアンブルオフセットを決定するためのコンピュータプログラム製品は、コンピュータ読み取り可能な媒体上で有形に実施され、そして実行時に、複数のフェムトベースステーションにサービスするマクロベースステーションが、複数のフェムトベースステーションの各々からガイド型インターネット接続を経て干渉レポートを受信し、この干渉レポートは、隣接フェムトベースステーションから受信されたフェムトベースステーションプリアンブルの受信信号強度を指示するものであり、更に、複数のフェムトベースステーションの各々から受信された干渉レポートに基づいて、複数のフェムトベースステーションがスレッシュホールド干渉レベルを越えることを決定し、そして複数のフェムトベースステーションの各々へガイド型インターネット接続を経てリソース割り当てメッセージを送信し、このリソース割り当てメッセージは、複数のフェムトベースステーションがスレッシュホールド干渉レベルを越えるとの決定に少なくとも一部分基づくもので、且つ複数のフェムトベースステーションの各々がそれらの各フェムトベースステーションプリアンブルをいつ送信すべきか指示するものである、ようにさせるよう構成された実行可能なコードを含む。
【０００９】
１つ以上の実施形態の詳細を添付図面に示して、以下に説明する。他の特徴は、以下の説明、添付図面及び特許請求の範囲から明らかとなろう。
【図面の簡単な説明】
【００１０】
【図１Ａ】一実施形態によるワイヤレスネットワークを示す図である。
【図１Ｂ】一実施形態による図１Ａに示すワイヤレスネットワークのノードへタイミング信号を送信するグローバルポジショニングシステム（ＧＰＳ）衛星を示す図である。
【図２】一実施形態による図１Ａに示すノード間で交換されるメッセージを示す垂直時間シーケンス図である。
【図３Ａ】一実施形態による図１Ａに示すノードにより送信及び受信されるメッセージを示すブロック図である。
【図３Ｂ】別の実施形態による図１Ａに示すノードにより送信及び受信されるメッセージを示すブロック図である。
【図４】一実施形態による方法を示すフローチャートである。
【図５】別の実施形態による方法を示すフローチャートである。
【図６】一実施形態による装置を示すブロック図である。
【発明を実施するための形態】
【００１１】
図１Ａは、一実施形態によるワイヤレスネットワーク１００を示す図である。このワイヤレスネットワーク１００は、例えば、ＩＥＥＥ  ８０２．１６“Worldwide interoperability for Microwave Access (WiMAX)”ネットワークを含む。ワイヤレスネットワーク１００は、移動ユーザにワイヤレスデータサービスを提供する。ワイヤレスネットワーク１００は、ユーザが、例えば、セルからセルへ移動することにより位置を変えるときに、連続的なワイヤレスデータサービスを移動ユーザに提供する。
【００１２】
ワイヤレスネットワーク１００は、１つ以上のマクロベースステーション１０２を備えている。これらマクロベースステーション１０２は、ワイヤード又はガイド型インフラストラクチャーに接続され、例えば、エアインターフェイスを経て移動ユーザへワイヤレスデータサービスを提供する。マクロベースステーション１０２は、例えば、８０２．１６ＷｉＭＡＸマクロベースステーションを含む。マクロベースステーション１０２は、ネットワークオペレータにより所有されインストールされる。マクロベースステーション１０２は、移動ユーザへのサービスを最大にすると共にマクロベースステーション１０２間の干渉を最小にするプラン型システムにより、他のマクロベースステーションと共にインストールされる。
【００１３】
又、ワイヤレスネットワーク１００は、１つ以上のフェムトベースステーション１０４Ａ、１０４Ｂ、１０４Ｃも備えている。フェムトベースステーション１０４Ａ、１０４Ｂ、１０４Ｃは、インターネットのようなインフラストラクチャーへのワイヤード又はガイド型接続を有する。フェムトベースステーション１０４Ａ、１０４Ｂ、１０４Ｃは、エアインターフェイスを経て移動加入者へワイヤレスデータサービスを提供する。フェムトベースステーション１０４Ａ、１０４Ｂ、１０４Ｃは、例えば、エアインターフェイスを経て移動加入者へワイヤレスデータサービスを提供する。フェムトベースステーション１０４Ａ、１０４Ｂ、１０４Ｃは、各々、各マクロベースステーション１０２によりサービスされるワイヤレスネットワーク１００より小さいフェムトワイヤレスネットワーク１０６Ａ、１０６Ｂ、１０６Ｃにサービスする。フェムトベースステーション１０４Ａ、１０４Ｂ、１０４Ｃにより使用されるエアインターフェイスは、ベースステーション１０２により使用されるエアインターフェイスに適合する。従って、移動加入者は、フェムトベースステーション１０４Ａ、１０４Ｂ、１０４Ｃによりサービスされるセル又はフェムトワイヤレスネットワーク１０６Ａ、１０６Ｂ、１０６Ｃに入ったり出たりすることができ、そしてマクロベースステーション１０２へ又はそこから、或いは隣接するフェムトベースステーション１０４Ａ、１０４Ｂ、１０４Ｃへ又はそこからハンドオーバーすることができ、このハンドオーバーは、移動加入者の観点から、２つのマクロベースステーション間のハンドオーバーと同様である。
【００１４】
フェムトベースステーション１０４Ａ、１０４Ｂ、１０４Ｃは、ユーザ又は加入者により所有又は賃貸され、加入者によりインストールされる。加入者は、加入者が住み、仕事し又はビジネスを行う建物にフェムトベースステーション１０４Ａ、１０４Ｂ、１０４Ｃをインストールし、加入者は、建物内にワイヤレス（非ガイド型）インターネット又はデータアクセスを有する。フェムトベースステーション１０４Ａ、１０４Ｂ、１０４Ｃは、例えば、許可された移動ステーション１０８Ａ、１０８Ｂ、１０８Ｃのみにサービスを提供してもよい。フェムトベースステーション１０４Ａ、１０４Ｂ、１０４Ｃの所有者又はマネージャーは、いずれかの又は全ての付加的な移動ベースステーション１０８Ａ、１０８Ｂ、１０８Ｃにサービスを提供するように各フェムトベースステーション１０４Ａ、１０４Ｂ、１０４Ｃを許可することができる。フェムトベースステーション１０４Ａ、１０４Ｂ、１０４Ｃは、中央でプランニングせずにインストールすることができ、その結果、図１Ａに示す第１のフェムトベースステーション１０４Ａ及び第２のフェムトベースステーション１０４Ｂのようなフェムトベースステーションが、互いに干渉する信号を送信することがある。
【００１５】
移動加入者は、移動ステーション１０８Ａ、１０８Ｂ、１０８Ｃ、１０８Ｄを使用してマクロベースステーション１０２及び／又はフェムトベースステーション１０４Ａ、１０４Ｂ、１０４Ｃとデータを交換する。移動ステーション１０８Ａ、１０８Ｂ、１０８Ｃ、１０８Ｄは、実施形態により、例えば、セルラー電話、スマートホン、パーソナルデジタルアシスタント（ＰＤＡ）、或いはラップトップ又はノードブックコンピュータを含む。移動ステーション１０８Ａ、１０８Ｂ、１０８Ｃ、１０８Ｄは、例えば、８０２．１６ＷｉＭＡＸエアインターフェイスのようなエアインターフェイスを経て、マクロベースステーション１０２及び／又はフェムトベースステーション１０４Ａ、１０４Ｂ、１０４Ｃと通信するように構成される。移動ステーション１０８Ａ、１０８Ｂ、１０８Ｃ、１０８Ｄは、例えば、直交周波数分割多重化（ＯＦＤＭ）通信スキームを使用し、時分割デュープレックス（ＴＤＤ）又は周波数分割デュープレックス（ＦＤＤ）を使用して、マクロベースステーション１０２及び／又はフェムトベースステーション１０４Ａ、１０４Ｂ、１０４Ｃと通信するように構成される。一実施形態において、各フェムトベースステーション１０４Ａ、１０４Ｂ、１０４Ｃには、移動ステーション１０８Ａ、１０８Ｂ、１０８Ｃと通信するために５メガヘルツ（５ＭＨｚ）の帯域巾が割り当てられる。フェムトベースステーション１０４Ａ、１０４Ｂ、１０４Ｃが互いに干渉する一実施形態では、各フェムトベースステーション１０４Ａ、１０４Ｂ、１０４Ｃには、フェムトベースステーション１０４Ａ、１０４Ｂ、１０４Ｃ間の干渉を減少するために５ＭＨｚ帯域巾の１／３が割り当てられる。しかしながら、フェムトベースステーション１０４Ａ、１０４Ｂ、１０４Ｃに異なる帯域巾を指定しても、フェムトベースステーション１０４Ａ、１０４Ｂ、１０４Ｃ間の全ての干渉を防止することはできない。例えば、３つのフェムトベースステーション１０４Ａ、１０４Ｂ、１０４Ｃ以上のものが互いの範囲内にあると、フェムトベースステーション１０４Ａ、１０４Ｂ、１０４Ｃは、オーバーラップした帯域巾を使用することになる。
【００１６】
フェムトベースステーション１０４Ａ、１０４Ｂ、１０４Ｃは、実施形態により、公衆交換電話ネットワーク（ＰＳＴＮ）を通るデジタル加入者ライン（ＤＳＬ）、同軸ケーブル、又は光ファイバケーブルのようなガイド型接続１１２を経て、インターネット１１０に接続される。フェムトベースステーション１０４Ａ、１０４Ｂ、１０４Ｃは、例えば、直交周波数分割多重化（ＯＦＤＭ）通信スキームを使用し、時分割デュープレックス（ＴＤＤ）又は周波数分割デュープレックス（ＦＤＤ）を使用することにより、それらの各エアインターフェイスを経て移動ステーション１０８Ａ、１０８Ｂ、１０８Ｃとインターネット１１０との間でデータをルーティングする。
【００１７】
マクロベースステーション１０２は、実施形態により、銅線、ねじれ対（１つ又は複数）、同軸ケーブル、又は光ファイバケーブルのようなガイド型接続１１６を経て、アクセスサービスネットワーク（ＡＳＮ）ゲートウェイのようなゲートウェイ１１４に接続される。ゲートウェイ１１４は、ガイド型又は非ガイド型接続を経てインターネット１１０に結合される。マクロベースステーション１０２は、８０２．１６ＷｉＭＡＸエアインターフェイスのようなエアインターフェイスを経て任意の数の移動ステーション１０８Ｄへワイヤレスデータサービスを提供する。例えば、マクロベースステーション１０２は、直交周波数分割多重化（ＯＦＤＭ）通信スキームを使用し、時分割デュープレックス（ＴＤＤ）又は周波数分割デュープレックス（ＦＤＤ）を使用して、移動ステーション１０８Ｄと通信する。
【００１８】
フェムトベースステーション１０４Ａ、１０４Ｂ、１０４Ｃは、インターネット１１０を経てマクロベースステーション１０２と通信する。マクロベースステーション１０２は、ワイヤレスネットワーク１００内のフェムトベースステーション１０４Ａ、１０４Ｂ、１０４Ｃを制御する。マクロベースステーション１０２は、例えば、フェムトベースステーション１０４Ａ、１０４Ｂ、１０４Ｃに周波数又は帯域巾のようなスペクトルリソースを割り当てる。マクロベースステーション１０２は、例えば、マクロベースステーション１０２及び／又は隣接フェムトベースステーション１０４Ａ、１０４Ｂ、１０４Ｃとの干渉を防止するために、フェムトベースステーション１０４Ａ、１０４Ｂ、１０４Ｃによる送信電力に限界を課する。
【００１９】
一実施形態では、マクロベースステーション１０２及び／又はフェムトベースステーション１０４Ａ、１０４Ｂ、１０４Ｃは、それらの各エアインターフェイスを経てプリアンブルを送信する。プリアンブルは、タイミング及び又は同期情報を含み、及び／又は送信側マクロベースステーション１０２又はフェムトベースステーション１０４Ａ、１０４Ｂ、１０４Ｃのアイデンティティを含む。ワイヤレスネットワーク１００及び／又はフェムトワイヤレスネットワーク１０６Ａ、１０６Ｂ、１０６Ｃに入るために、移動ステーション１０８Ａ、１０８Ｂ、１０８Ｃ、１０８Ｄは、マクロベースステーション１０２又はフェムトベースステーション１０４Ａ、１０４Ｂ、１０４Ｃと同期をとるためにプリアンブルを聴取する。しかしながら、マクロベースステーション１０２及び／又はフェムトベースステーション１０４Ａ、１０４Ｂ、１０４Ｃがそれらのプリアンブルを同時に送信する場合には、プリアンブルが互いに干渉することがあり、移動ステーション１０８Ａ、１０８Ｂ、１０８Ｃ、１０８Ｄは、マクロベースステーション１０２又はフェムトベースステーション１０４Ａ、１０４Ｂ、１０４Ｃと同期できないことがある。例えば、第１のフェムトベースステーション１０４Ａ及び第２のフェムトベースステーション１０４Ｂのような２つのフェムトベースステーションが互いに接近し、そして第１の移動ステーション１０８Ａのような移動ステーションが、第１のフェムトベースステーション１０４Ａ及び第２のフェムトベースステーション１０４Ｂの両方の範囲内にある場合には、第１のフェムトベースステーション１０４Ａ及び第２のフェムトベースステーション１０４Ｂによって送信されるプリアンブルが互いに干渉し、そして第１の移動ステーション１０８Ａが第１のフェムトベースステーション１０４Ａ又は第２のフェムトベースステーション１０４Ｂのいずれかと同期できないことがある。
【００２０】
一実施形態において、フェムトベースステーション１０４Ａ、１０４Ｂ、１０４Ｃは、他のフェムトベースステーション１０４Ａ、１０４Ｂ、１０４Ｃからのプリアンブルを聴取する。隣接フェムトベースステーションから受信された隣接プリアンブルと考えられる他のフェムトベースステーション１０４Ａ、１０４Ｂ、１０４Ｃからのプリアンブルを受信するフェムトベースステーション１０４Ａ、１０４Ｂ、１０４Ｃは、隣接フェムトベースステーションにより生じる隣接プリアンブルの干渉レベルを決定する。例えば、第１のフェムトベースステーション１０４Ａは、隣接又は第２のフェムトベースステーション１０４Ｂにより送信された隣接プリアンブルを受信する。第１のフェムトベースステーション１０４Ａは、例えば、隣接プリアンブルの受信信号強度と、隣接又は第２のフェムトベースステーション１０４Ｂのアイデンティティを、隣接プリアンブルの受信に基づいて、決定する。第１のフェムトベースステーション１０４Ａは、受信した隣接プリアンブルに基づいて、インターネット１１０へのガイド型接続１１２を経て、及び任意であるが、ゲートウェイ１１４を経て、マクロベースステーション１０２へ干渉レポートを送信する。又、第２のフェムトベースステーション１０４Ｂは、第１のベースステーション１０４Ａからプリアンブルを受信し、そしてマクロベースステーション１０２へ干渉レポートを送信し、第１のフェムトベースステーション１０４Ａを第２のフェムトベースステーション１０４Ｂに対する隣接フェムトベースステーションとして取り扱う。
【００２１】
マクロベースステーション１０２は、例えば、その各々のガイド型インターネット接続を経て、フェムトベースステーション１０４Ａ、１０４Ｂから干渉レポートを受信する。干渉レポートは、受信した隣接プリアンブルの受信信号強度及び／又は隣接フェムトベースステーションのアイデンティティを指示する。マクロベースステーション１０２は、フェムトベースステーション１０４Ａ、１０４Ｂから受信された干渉レポートに基づいて、フェムトベースステーション１０４Ａ、１０４Ｂのプリアンブルがスレッシュホールド干渉レベルを越えて互いに干渉することを決定する。マクロベースステーション１０２は、干渉を防止又は減少すると共に、移動ステーション１０８Ａ、１０８Ｂがフェムトベースステーション１０４Ａ、１０４Ｂの少なくとも１つと同期をとれるようにするために、フェムトベースステーション１０４Ａ、１０４Ｂが異なる時間にそれらの各プリアンブルを送信しなければならないと決定する。
【００２２】
フェムトベースステーション１０４Ａ、１０４Ｂのプリアンブルが互いに干渉するという決定に基づき、及び／又はフェムトベースステーション１０４Ａ、１０４Ｂが異なる時間にそれらの各プリアンブルを送信しなければならないという決定に基づき、マクロベースステーション１０２は、フェムトベースステーション１０４Ａ、１０４Ｂにリソース割り当てメッセージを送信する。このリソース割り当てメッセージは、フェムトベースステーション１０４Ａ、１０４Ｂの各々がそれらの各プリアンブルをいつ送信すべきか指示する。リソース割り当てメッセージは、例えば、マクロベースステーション１０２がそのプリアンブルを送信した後、フェムトベースステーション１０４Ａ、１０４Ｂの各々がそれらの各プリアンブルをいつ送信すべきかのオフセット時間を指示する。例えば、リソース割り当てメッセージは、マクロベースステーションがそのプリアンブルを送信した何個のＯＦＤＭ記号の後に、フェムトベースステーション１０４Ａ、１０４Ｂの各々がそれらの各プリアンブルを送信すべきか指示する。オフセット時間及び／又はＯＦＤＭ記号の数は、実施形態により、マクロベースステーション１０２のプリアンブルの送信開始後、又は送信終了後に測定される。マクロベースステーション１０２は、マクロベースステーション１０２がそのプリアンブルをいつ送信するか指示する同期メッセージをフェムトベースステーション１０４Ａ、１０４Ｂへ送信し、マクロベースステーション１０２は、プリアンブルメッセージを周期的に送信してもよく、この場合、同期メッセージは、マクロベースステーション１０２がその周期的プリアンブルをいつ送信するか指示する。実施形態により、同期メッセージがリソース割り当てメッセージに含まれてもよいし、又はマクロベースステーション１０２が同期メッセージをリソース割り当てメッセージとは個別のメッセージとして送信してもよい。
【００２３】
又、リソース割り当てメッセージは、フェムトベースステーション１０４Ａ、１０４Ｂの各々がそれらの各プリアンブルの送信後にデータを送信する期間も指示する。リソース割り当てメッセージは、例えば、フェムトベースステーション１０４Ａ、１０４Ｂがサービスする移動ステーション１０８Ａ、１０８Ｂへの及び／又はそこからのデータの送信及び／又はデータの受信をフェムトベースステーション１０４Ａ、１０４Ｂがいつ開始及び／又は終了すべきか指示する。
【００２４】
一実施形態において、フェムトベースステーション１０４Ａ、１０４Ｂ、１０４Ｃは、移動ステーション１０８Ａ、１０８Ｂ、１０８Ｃにサービスするための付加的なリソースが必要であることを決定する。フェムトベースステーション１０４Ａ、１０４Ｂ、１０４Ｃは、例えば、移動ステーション１０８Ａ、１０８Ｂ、１０８Ｃにサービスするための高いデータレートが必要であることを決定する。この決定に基づいて、フェムトベースステーション１０４Ａ、１０４Ｂ、１０４Ｃは、付加的な通信リソースを要求するためにリソース要求メッセージをマクロベースステーション１０２へ送信する。マクロベースステーション１０２は、フェムトベースステーションからリソース要求メッセージを受信し、そして例えば、フェムトベースステーション１０４Ａ、１０４Ｂ、１０４Ｃに対するデータ送信及び／又は受信の期間を増加することで他のフェムトベースステーション１０４Ａ、１０４Ｂ、１０４Ｃ及び／又は移動ステーション１０８Ａ、１０８Ｂ、１０８Ｃとの干渉を引き起こすかどうか決定することに基づき、付加的なリソースが利用できるかどうか決定する。付加的なリソースが利用できることをマクロベースステーション１０２が決定した場合に、マクロベースステーション１０２は、リソース要求を送信したフェムトベースステーション１０４Ａ、１０４Ｂ、１０４Ｃへ第２のリソース割り当てメッセージを送信する。この第２のリソース割り当てメッセージは、実施形態により、第１のリソース割り当てメッセージより長い期間をフェムトベースステーション１０４Ａ、１０４Ｂ、１０４Ｃに割り当てる。
【００２５】
マクロベースステーション１０２及びフェムトベースステーション１０４Ａ、１０４Ｂ、１０４Ｃは、共通のタイミング信号により同期される。マクロベースステーション１０２及びフェムトベースステーション１０４Ａ、１０４Ｂ、１０４Ｃは、１ｐｐｓタイミングパルスである同期基準及び１０ＭＨｚ周波数基準のような安定且つ正確なソースにより同期される。マクロベースステーション１０２及びフェムトベースステーション１０４Ａ、１０４Ｂ、１０４Ｃは、例えば、グローバルポジショニングシステム（ＧＰＳ）衛星により同期される。図１Ｂは、一実施形態により図１Ａに示すワイヤレスネットワーク１００のノード１０２、１０４へタイミング信号１２０Ａ、１２０Ｂを送信するＧＰＳ衛星１１８Ａ、１１８Ｂを示す図である。マクロベースステーション１０２及びフェムトベースステーション１０４は、例えば、ＧＰＳ受信器を備え、そしてＧＰＳ衛星１１８Ａ、１１８Ｂにより送信されるタイミング信号１２０Ａ、１２０Ｂに基づいて受信、処理及び同期を行う。図１Ｂには、２つのＧＰＳ衛星１１８Ａ、１１８Ｂが示されているが、タイミング信号１２０は、種々の実施形態により、いかなる数のＧＰＳ衛星１１８から受信されてもよい。
【００２６】
図２は、一実施形態に基づき図１Ａに示すノード間で交換されるメッセージを示す垂直時間シーケンス図である。図２に示す実施形態では、ガイド型媒体を経て送信されるメッセージは、実線で示され、非ガイド型媒体又はエアインターフェイスを経て送信されるメッセージは、破線で示されている。
【００２７】
この例では、互いの範囲内にある第１及び第２のフェムトベースステーション１０４Ａ、１０４Ｂは、それらの各プリアンブル２０２を送信し、そしてプリアンブル２０２を隣接プリアンブルとして受信する。フェムトベースステーション１０４Ａ、１０４Ｂは、隣接プリアンブルの干渉レベルを決定し、及び／又は隣接フェムトベースステーション１０４Ａ、１０４Ｂのアイデンティティを、受信した隣接プリアンブル２０２に基づいて決定する。この決定された干渉レベル及び／又はアイデンティティに基づき、フェムトベースステーション１０４Ａ、１０４Ｂは、マクロベースステーション１０２へ干渉レポートを送信する。
【００２８】
マクロベースステーション１０２は、干渉レポート２０２Ａ、２０２Ｂを受信し、そしてフェムトベースステーション１０４Ａ、１０４Ｂがスレッシュホールド干渉レベルを越えること、及び／又はフェムトベースステーション１０４Ａ、１０４Ｂがそれらの各プリアンブルを異なる時間に送信しなければならないことを決定する。フェムトベースステーション１０４Ａ、１０４Ｂがスレッシュホールド干渉レベルを越えること、及び／又はフェムトベースステーション１０４Ａ、１０４Ｂがそれらの各プリアンブルを異なる時間に送信しなければならないとの決定に基づき、マクロベースステーション１０２は、フェムトベースステーション１０４Ａ、１０４Ｂの各々へリソース割り当てメッセージ２０４Ａ、２０４Ｂを送信する。このリソース割り当てメッセージ２０４Ａ、２０４Ｂは、受信側フェムトベースステーション１０４Ａ、１０４Ｂがその各々のプリアンブルをいつ送信すべきかを指示し、及び／又は各フェムトベースステーション１０４Ａ、１０４Ｂによってサービスされる移動ステーション１０８Ａ、１０８Ｂへ又はそこからデータを送信及び／又は受信する期間を指示する。
【００２９】
マクロベースステーション１０２は、マクロベースステーションプリアンブル２０６を任意の数の移動ステーション１０８Ｄへ送信する。マクロベースステーションプリアンブル２０６を送信した後に、マクロベースステーション１０２は、ダウンリンクチャンネルを経てデータ２０８を送信し、そしてアップリンクチャンネルを経てデータ２１０を受信する。図２は、マクロベースステーション１０２が、ＴＤＤスキームにより、データ２１０を受信する前にデータ２０８を送信することを示しているが、その順序を逆転してもよく、マクロベースステーション１０２は、実施形態により、データ２０８を送信する前にデータ２１０を受信してもよい。又、マクロベースステーション１０２は、実施形態により、ＴＤＤ形態でデータ２０８、２１０の送信及び受信を続けてもよい。
【００３０】
第１のフェムトベースステーション１０４Ａは、マクロベースステーション１０２がそのマクロベースステーションプリアンブル２０６を送信した後にプリアンブルオフセット時間２１２Ａが経過した後に、フェムトベースステーションプリアンブル２１０Ａを移動ステーション１０８Ａへ送信する。プリアンブルオフセット時間２１２Ａは、リソース割り当てメッセージ２０４Ａに基づく。フェムトベースステーションプリアンブル２１０Ａを送信した後に、第１のフェムトベースステーション１０４Ａは、ダウンリンクチャンネルを経て移動ステーション１０８Ａへデータ２１４Ａを送信し、そしてアップリンクチャンネルを経て移動ステーション１０８Ａからデータ２１６Ａを受信する。図２は、第１のフェムトベースステーション１０４Ａが移動ステーション１０８Ａへデータ２１４Ａを送信し、次いで、移動ステーション２１６Ａからデータ２１６Ａを受信することを示しているが、第１のフェムトベースステーション１０４Ａは、実施形態により、データ２１４Ａを送信する前にデータ２１６Ａを受信してもよい。又、データ２１４Ａ、２１６Ａは、実施形態により、各々、一度だけではなく、何回も送信又は受信されてもよい。
【００３１】
第２のフェムトベースステーション１０４Ｂは、マクロベースステーション１０２がそのマクロベースステーションプリアンブル２０６を送信した後に第２のフェムトベースステーションプリアンブルオフセット時間２１２Ｂが経過した後に、それ自身のフェムトベースステーションプリアンブル２１０Ｂをその各々の移動ステーション１０８Ｂへ送信する。プリアンブルオフセット時間２１２Ｂは、リソース割り当てメッセージ２０４Ｂに基づく。フェムトベースステーションプリアンブル２１０Ｂを送信した後に、第２のフェムトベースステーション１０４Ｂは、ダウンリンクチャンネルを経て移動ステーション１０８Ｂへデータ２１４Ｂを送信し、そしてアップリンクチャンネルを経て移動ステーション１０８Ｂからデータ２１６Ｂを受信する。図２は、第２のフェムトベースステーション１０４Ｂが移動ステーション１０８Ｂへデータ２１４Ｂを送信し、次いで、移動ステーション２１６Ｂからデータ２１６Ｂを受信することを示しているが、第２のフェムトベースステーション１０４Ｂは、実施形態により、データ２１４Ｂを送信する前にデータ２１６Ｂを受信してもよい。又、データ２１４Ｂ、２１６Ｂは、実施形態により、各々、一度だけではなく、何回も第２のフェムトベースステーション１０４Ｂにより送信又は受信されてもよい。
【００３２】
一実施形態において、第１のフェムトベースステーション１０４Ａのようなフェムトベースステーションは、リソース要求メッセージ２１８をマクロベースステーション１０２へ送信する。マクロベースステーション１０２は、リソース要求メッセージ２１８の受信に応答して、リソース割り当てメッセージ２２０を第１のフェムトベースステーション１０４Ａへ送信する。リソース割り当てメッセージ２２０は、第１のフェムトベースステーション１０４Ａがデータ２１４Ａ、２１６Ａを送信及び／又は受信するためにより長い時間周期又は期間を割り当てる。
【００３３】
図３Ａは、一実施形態による図１Ａに示すノードにより送信及び受信されるメッセージを示すブロック図である。この例は、５つのフレーム３０２、３０４、３０６、３０８、３１０の間に送信及び受信されるメッセージを示す。一実施形態では、各フレーム３０２、３０４、３０６、３０８、３１０の間に、４８又は５１のような特定数のＯＦＤＭ記号が送信及び／又は受信される。
【００３４】
この例では、マクロベースステーション１０２は、マクロベースステーションエアインターフェイスを経てマクロベースステーションプリアンブル３１２を送信し、次いで、ダウンリンク（ＤＬ）データ３１４の送信とアップリンク（ＵＬ）データ３１６の受信との間を交替する。この例では、第１のフェムトベースステーション１０４Ａ及び第２のフェムトベースステーション１０４Ｂは、互いに干渉する範囲内にあるが、第３のフェムトベースステーション１０４Ｃは、第１のフェムトベースステーション１０４Ａ又は第２のフェムトベースステーション１０４Ｂのいずれからも干渉範囲外にある。これらの決定された範囲及び／又は位置に基づいて、マクロベースステーション１０２は、フェムトベースステーション１０４Ａ、１０４Ｂ、１０４Ｃに対するプリアンブル時間を指定し、第１のフェムトベースステーション１０４Ａ及び第２のフェムトベースステーション１０４Ｂはそれらの各プリアンブルを同時に送信しないが、第３のフェムトベースステーション１０４Ｃがその各々のプリアンブルを第１のフェムトベースステーション１０４Ａ又は第２のフェムトベースステーション１０４Ｂのいずれかと同時に送信するようにする。
【００３５】
図３Ａに示す例では、第１のフェムトベースステーション１０４Ａは、マクロベースステーション１０２がマクロベースステーションプリアンブル３１２を送信して以来、第１のフェムトベースステーションプリアンブルオフセット時間３２０が経過した後に、そのフェムトベースステーションプリアンブル３１８を送信する。第１のフェムトベースステーション１０４Ａがそのプリアンブルを送信した後に、第１のフェムトベースステーション１０４Ａは、第１のフェムトベースステーション１０４Ａの指定の又は割り当てられた期間３２８中に、ダウンリンクデータ３２２、３２６を送信し、及び／又はアップリンクデータ３２４を受信する。
【００３６】
又、図３Ａに示す例では、第２のフェムトベースステーション１０４Ｂは、マクロベースステーション１０２がマクロベースステーションプリアンブル３１２を送信した後に第２のフェムトベースステーションプリアンブルオフセット時間３３２が経過した後に、そのフェムトベースステーションプリアンブル３３０を送信する。第２のフェムトベースステーションプリアンブルオフセット時間３３２は、第１のフェムトベースステーション１０４Ａがデータ３２２、３２４、３２６の送信又は受信を停止した後に第２のフェムトベースステーション１０４Ｂが第２のフェムトベースステーションプリアンブル３３０を送信するように指定される。この例では、第２のフェムトベースステーション１０４Ｂは、第１のフェムトベースステーション１０４Ａがデータ又はプリアンブルを送信又は受信するのと同時にデータ又はプリアンブルを送信又は受信しない。この例では、第１のフェムトベースステーション１０４Ａ及び第２のフェムトベースステーション１０４Ｂは、互いに干渉しない。プリアンブル３３０を送信した後に、第２のフェムトベースステーション１０４Ｂは、マクロベースステーション１０２により指定された期間３３８中にエアインターフェイスを経てダウンリンクデータ３３２、３３６を送信し、及び／又はアップリンクデータ３３４を受信する。
【００３７】
第３のフェムトベースステーション１０４Ｃは、マクロベースステーション１０２がマクロベースステーションプリアンブル３１２を送信した後に第３のフェムトベースステーションプリアンブルオフセット時間３４２が経過した後に、そのフェムトベースステーションプリアンブル３４０を送信する。第３のフェムトベースステーションプリアンブルオフセット時間３４２は、第３のフェムトベースステーション１０４Ｃがフェムトベースステーションプリアンブル３４０を別のフェムトベースステーション１０４Ａ、１０４Ｂと同時に送信するようにさせてもよいし、させなくてもよい。第３のフェムトベースステーション１０４Ｃと、第１及び第２のフェムトベースステーション１０４Ａ、１０４Ｂとの間の距離により、第３のベースステーション１０４Ｃは、第１又は第２のフェムトベースステーション１０４Ａ、１０４Ｂがデータ又はプリアンブルを送信又は受信する間に、第３のフェムトベースステーション１０４Ｃがデータ又はプリアンブルを送信又は受信する場合でも、第１及び第２のフェムトベースステーション１０４Ａ、１０４Ｂと干渉することはない。第３のフェムトベースステーション１０４Ｃは、一実施形態によれば、マクロベースステーション１０２により第３のフェムトベースステーション１０４Ｃへ送信されたリソース割り当てメッセージで指定又は割り当てられた第３のフェムトベースステーション期間３５４の間にダウンリンクデータ３４４、３４８、３５２を送信し、及び／又はアップリンクデータ３４６、３５０を受信する。
【００３８】
図３Ｂは、別の実施形態による図１Ａに示すノードにより送信及び受信されるメッセージを示すブロック図である。この例では、第２のフェムトベースステーション１０４Ｂは、リソース要求メッセージをマクロベースステーション１０２へ送信し、そしてマクロベースステーション１０２は、第２のフェムトベースステーション１０４Ｂがデータ３３２、３３４、３３６、３５６、３５８を送信及び／又は受信するためのより長い期間３３８を割り当てるリソース割り当てメッセージを第２のフェムトベースステーション１０４Ｂへ送信する。従って、図３Ｂに示す例では、フェムトベースステーション１０４Ｂがデータ３３２、３３４、３３６、３５６、３５８を送信及び／又は受信するための期間３３８が、図３Ａの例に示す期間３３８より長い。
【００３９】
図４は、一実施形態による方法４００を示すフローチャートである。この例によれば、方法４００は、第１のフェムトベースステーションにより、フェムトベースステーションエアインターフェイスを経て、少なくとも１つの隣接フェムトベースステーションから少なくとも１つの隣接プリアンブルを受信することを含む（４０２）。又、方法４００は、第１のフェムトベースステーションにより、ガイド型インターネット接続を経てマクロベースステーションへ干渉レポートを送信することも含み、この干渉レポートは、少なくとも１つの隣接フェムトベースステーションから受信された少なくとも１つの隣接プリアンブルに少なくとも一部分基づく（４０４）。又、この方法は、第１のフェムトベースステーションにより、マクロベースステーションからガイド型インターネット接続を経て、リソース割り当てメッセージを受信することも含む（４０６）。又、方法４００は、第１のフェムトベースステーションにより、フェムトベースステーションエアインターフェイスを経て、第１のフェムトベースステーションプリアンブルを送信することも含み、この第１のフェムトベースステーションプリアンブルは、少なくとも一部分はリソース割り当てメッセージにより決定された時間に送信される（４０８）。
【００４０】
一実施形態によれば、方法４００は、更に、マクロベースステーションのマクロベースステーションエアインターフェイスに適合するプロトコルにより、フェムトベースステーションエアインターフェイスを経てフェムトベースステーションが少なくとも１つの移動ステーションと通信することも含む。
【００４１】
一実施形態によれば、前記受信は、第１のフェムトベースステーションにより、フェムトベースステーションエアインターフェイスを経て、少なくとも１つの隣接フェムトベースステーションから少なくとも１つの隣接プリアンブルを受信することを含み、その少なくとも１つの隣接プリアンブルは、少なくとも１つの隣接フェムトベースステーションを識別する。又、この例によれば、前記送信は、第１のフェムトベースステーションにより、ガイド型インターネット接続を経てマクロベースステーションへ干渉レポートを送信することも含み、この干渉レポートは、少なくとも１つの隣接フェムトベースステーションを識別する。
【００４２】
一実施形態によれば、前記送信は、第１のフェムトベースステーションにより、デジタル加入者ライン（ＤＳＬ）インターネット接続を経てマクロベースステーションへ干渉レポートを送信することを含む。
【００４３】
一実施形態によれば、前記送信は、第１のフェムトベースステーションにより、ガイド型インターネット接続を経てマクロベースステーションへ干渉レポートを送信することを含み、この干渉レポートは、少なくとも１つの隣接プリアンブルの受信信号強度を指示する。
【００４４】
一実施形態によれば、前記送信は、第１のフェムトベースステーションにより、ガイド型インターネット接続及びゲートウェイを経てマクロベースステーションへ干渉レポートを送信することを含む。
【００４５】
一実施形態によれば、前記送信は、第１のフェムトベースステーションにより、フェムトベースステーションエアインターフェイスを経て、第１のフェムトベースステーションプリアンブルを送信することを含み、この第１のフェムトベースステーションプリアンブルは、マクロベースステーションプリアンブルがマクロベースステーションによりマクロベースステーションエアインターフェイスを経て送信された後のオフセット時間に送信され、このオフセット時間は、少なくとも一部分はリソース割り当てメッセージにより決定される。
【００４６】
一実施形態によれば、前記送信は、第１のフェムトベースステーションにより、フェムトベースステーションエアインターフェイスを経て、第１のフェムトベースステーションプリアンブルを送信することを含み、この第１のフェムトベースステーションプリアンブルは、マクロベースステーションがマクロベースステーションエアインターフェイスを経てマクロベースステーションプリアンブルを送信した、ある数の直交周波数分割多重化（ＯＦＤＭ）記号の後に、送信され、このＯＦＤＭ記号の数は、少なくとも一部分はリソース割り当てメッセージにより決定される。
【００４７】
一実施形態によれば、方法４００は、更に、第１のフェムトベースステーションによりフェムトベースステーションエアインターフェイスを経てデータを送信することを含み、このデータは、プリアンブルが送信された後に開始し且つ少なくとも一部分はリソース割り当てメッセージにより決定された時間に終了する期間中に送信される。
【００４８】
一実施形態によれば、方法４００は、更に、グローバルポジショニングシステム（ＧＰＳ）衛星からタイミング信号を受信することも含む。この例では、プリアンブルの送信は、少なくとも一部分はリソース割り当てメッセージ及びタイミング信号により決定された時間に第１のフェムトベースステーションプリアンブルを送信することを含む。
【００４９】
一実施形態によれば、方法４００は、更に、マクロベースステーションへリソース要求を送信することも含む。この例では、方法４００は、更に、マクロベースステーションから第２のリソース割り当てメッセージを受信することも含む。この例では、方法４００は、更に、フェムトベースステーションプリアンブルが送信された後に開始し且つ少なくとも一部分はリソース割り当てメッセージにより決定された時間に終了する期間中に、移動ステーションへデータを送信することも含む。
【００５０】
一実施形態によれば、フェムトベースステーションエアインターフェイスは、ＩＥＥＥ８０２．１６エアインターフェイスを含む。
【００５１】
図５は、別の実施形態による方法５００を示すフローチャートである。この例によれば、方法５００は、マクロベースステーションにより、複数のフェムトベースステーションの各々からガイド型インターネット接続を経て干渉レポートを受信することを含み、この干渉レポートは、隣接フェムトベースステーションから受信したフェムトベースステーションプリアンブルの受信信号強度を指示する（５０２）。方法５００は、更に、複数のフェムトベースステーションの各々から受信された干渉レポートに基づき、複数のフェムトベースステーションがスレッシュホールド干渉レベルを越えると決定することも含む（５０４）。方法５００は、更に、マクロベースステーションにより、ガイド型インターネット接続を経て、複数のフェムトベースステーションのうちの少なくとも２つの各々へ、リソース割り当てメッセージを送信することも含み、このリソース割り当てメッセージは、複数のフェムトベースステーションがスレッシュホールド干渉レベルを越えるとの決定に少なくとも一部分基づくものであり、且つ複数のフェムトベースステーションの各々がそれらの各フェムトベースステーションプリアンブルをいつ送信すべきか指示するものである（５０６）。
【００５２】
一実施形態によれば、方法５００は、更に、マクロベースステーションによりマクロベースステーションエアインターフェイスを経て少なくとも１つの移動ステーションへマクロベースステーションプリアンブルを送信することも含む。この例では、リソース割り当てメッセージは、マクロベースステーションプリアンブルの後に、複数のフェムトベースステーションの各々がそれらの各フェムトベースステーションプリアンブルをいつ送信しなければならないかのオフセット時間を指示する。
【００５３】
一実施形態によれば、前記送信は、複数のフェムトベースステーションへリソース割り当てメッセージを送信することを含み、リソース割り当てメッセージは、マクロベースステーションのプリアンブルから、何個の直交周波数分割多重化（ＯＦＤＭ）記号の後に、複数のフェムトベースステーションがそれらの各フェムトベースステーションプリアンブルを送信しなければならないか指示する。
【００５４】
一実施形態によれば、方法５００は、更に、ガイド型インターネット接続を経て複数のフェムトベースステーションへ同期メッセージを送信することを含み、この同期メッセージは、マクロベースステーションがいつマクロベースステーションプリアンブルを少なくとも１つの移動ステーションへ送信するか指示する。この例では、リソース割り当てメッセージの送信は、複数のフェムトベースステーションの少なくとも２つへリソース割り当てメッセージを送信することを含み、そのリソース割り当てメッセージは、マクロベースステーションがマクロベースステーションプリアンブルを送信したどれほど後に、複数のフェムトベースステーションがそれらの各フェムトベースステーションプリアンブルを送信しなければならないか指示する。
【００５５】
一実施形態によれば、リソース割り当てメッセージは、更に、複数のフェムトベースステーションの各々に対して、複数のフェムトベースステーションの各々がそれらの各フェムトベースステーションプリアンブルの送信後にデータを送信すべき期間を指示する。
【００５６】
一実施形態によれば、複数のフェムトベースステーションの各々から受信された干渉レポートは、フェムトベースステーションプリアンブルが受信されたところの隣接フェムトベースステーションのアイデンティティを指示する。
【００５７】
一実施形態によれば、方法５００は、更に、マクロベースステーションによりフェムトベースステーションからガイド型インターネット接続を経てリソース要求を受信することを含む。この例では、方法５００は、更に、マクロベースステーションによりガイド型インターネット接続を経てフェムトベースステーションへ第２のリソース割り当てメッセージを送信することを含み、この第２のリソース割り当てメッセージは、フェムトベースステーションがフェムトベースステーションプリアンブルの送信の後にデータを送信すべき期間を指示する。
【００５８】
一実施形態によれば、マクロベースステーションは、８０２．１６マクロベースステーションを含み、そしてフェムトベースステーションの各々は、８０２．１６フェムトベースステーションを含む。
【００５９】
図６は、一実施形態による装置６００を示すブロック図である。一実施形態によれば、装置６００は、非ガイド型トランシーバ６０２と、ガイド型トランシーバ６０４と、コントローラ６０６と、メモリ６０８とを備えている。非ガイド型トランシーバ６０２は、例えば、エアインターフェイスを経てメッセージ及び／又はデータを送信及び受信するように構成されたアンテナを備えている。ガイド型トランシーバ６０４は、銅ケーブル、ねじれ対、複数のねじれ対、同軸ケーブル、光ファイバケーブル、及び／又は以上の媒体のいずれかを受け入れ及び／又はそれに結合するように構成された装置を含む。コントローラ６０６は、以上の段落で述べたいずれか又は全てのファンクションを遂行するように構成される。メモリ６０８は、データ、メッセージ、及び／又はコンピュータソフトウェアを記憶するように構成され、コンピュータソフトウェアは、実行時に、コントローラ６０６が前記段落で述べたいずれか又は全てのファンクションを遂行するようにさせるよう構成される。
【００６０】
装置６００がフェムトベースステーションを含む実施例では、ガイド型トランシーバ６０４は、ガイド型インターネット接続を経てマクロベースステーションと通信するように構成される。非ガイド型トランシーバ６０２は、エアインターフェイスを経て複数の移動ステーションを通信するように構成される。コントローラ６０６は、少なくとも１つの隣接フェムトベースステーションから非ガイド型トランシーバのエアインターフェイスを経て受信された少なくとも１つの隣接プリアンブルを処理し、少なくとも１つの隣接フェムトベースステーションから受信された少なくとも１つの隣接プリアンブルに少なくとも一部分基づいて、ガイド型トランシーバを経てマクロベースステーションへ送信するための干渉レポートを発生し、マクロベースステーションからガイド型トランシーバを経て受信されたリソース割り当てメッセージを処理し、そして少なくとも一部分はリソース割り当てメッセージにより決定された時間に非ガイド型トランシーバが送信するための第１のフェムトベースステーションプリアンブルを発生するように構成される。
【００６１】
装置６００がマクロベースステーションを備えた実施例では、ガイド型トランシーバ６０４は、ガイド型インターネット接続を経て複数のフェムトベースステーションと通信するように構成される。非ガイド型トランシーバ６０２は、エアインターフェイスを経て複数の移動ステーションと通信するように構成される。コントローラ６０６は、複数のフェムトベースステーションからガイド型トランシーバを経て受信された干渉レポートを処理するように構成され、この干渉レポートは、隣接フェムトベースステーションから受信したフェムトベースステーションプリアンブルの受信信号強度を指示するものであり、更に、複数のフェムトベースステーションの各々から受信された干渉レポートに基づき、複数のフェムトベースステーションがスレッシュホールド干渉レベルを越えると決定し、そしてガイド型トランシーバを経て複数のフェムトベースステーションの各々へガイド型トランシーバが送信するためのリソース割り当てメッセージを発生し、このリソース割り当てメッセージは、複数のフェムトベースステーションがスレッシュホールド干渉レベルを越えるとの決定に少なくとも一部分基づくものであり、且つ複数のフェムトベースステーションの各々がそれらの各フェムトベースステーションプリアンブルをいつ送信すべきか指示するものである。
【００６２】
ここに述べる種々の技術の具現化は、デジタル電子回路、或いはコンピュータハードウェア、ファームウェア、ソフトウェア、或いはそれらの組み合わせで行われる。これらの具現化は、データ処理装置、例えば、プログラム可能なプロセッサ、コンピュータ、又はマルチコンピュータにより実行するために、或いはそれらのオペレーションを制御するために、コンピュータプログラム製品として具現化され、即ち情報キャリア、例えば、マシン読み取り可能な記憶装置に有形に実施されるコンピュータプログラムとして具現化される。上述したコンピュータプログラムのようなコンピュータプログラムは、コンパイル言語又は解釈言語を含む任意の形式のプログラミング言語で書くことができ、そしてスタンドアローンプログラム、或いはモジュール、コンポーネント、サブルーチン、又はコンピューティング環境で使用するのに適した他のユニットを含む任意の形態で展開することができる。コンピュータプログラムは、１つのサイトにおいて、又は複数のサイトに分散されて通信ネットワークで相互接続されて、１つのコンピュータで、又は複数のコンピュータで実行するように展開することができる。
【００６３】
方法ステップは、入力データに対して動作して出力を発生することでファンクションを遂行するようにコンピュータプログラムを実行する１つ以上のプログラム可能なプロセッサにより遂行される。又、方法ステップは、特殊目的のロジック回路、例えば、ＦＰＧＡ（フィールドプログラマブルゲートアレイ）又はＡＳＩＣ（特定用途向け集積回路）により遂行することもできるし、又、装置は、そのような回路として実施することもできる。
【００６４】
コンピュータプログラムを実行するのに適したプロセッサは、例えば、汎用及び特殊目的の両マイクロプロセッサと、任意の種類のデジタルコンピュータの１つ以上のプロセッサとを含む。一般的に、プロセッサは、リードオンリメモリ又はランダムアクセスメモリ或いはその両方からインストラクション及びデータを受け取る。コンピュータの要素は、インストラクションを実行するための少なくとも１つのプロセッサと、インストラクション及びデータを記憶するための１つ以上のメモリ装置とを含む。一般的に、コンピュータは、データを記憶するための１つ以上の大量記憶装置、例えば、磁気、磁気−光学ディスク、又は光学ディスクを備え、或いはそこからデータを受け取り、そこへデータを転送し又はその両方を行うように作動的に結合される。コンピュータプログラムインストラクション及びデータを実施するのに適した情報キャリアは、例えば、半導体メモリ装置、例えば、ＥＰＲＯＭ、ＥＥＰＲＯＭ及びフラッシュメモリ装置；磁気ディスク、例えば、内部ハードディスク又は取り外し可能なディスク；磁気−光学ディスク；及びＣＤ−ＲＯＭ及びＤＶＤ−ＲＯＭディスクを含む全ての形式の不揮発性メモリを包含する。プロセッサ及びメモリは、特殊目的のロジック回路によって捕捉されるか、又はそれに合体される。
【００６５】
ユーザとの対話をなすために、これらの具現化は、ユーザに情報を表示するためのディスプレイ装置、例えば、陰極線管（ＣＲＴ）又は液晶ディスプレイ（ＬＣＤ）モニタと、ユーザがコンピュータへ入力を与えることができるようにするキーボード及びポインティング装置、例えば、マウス又はトラックボールと、を有するコンピュータにおいて行われる。他の種類の装置を使用してユーザとの対話を与えることもでき、例えば、ユーザに与えられるフィードバックは、任意の形式の感覚フィードバック、例えば、視覚フィードバック、聴覚フィードバック、又は触覚フィードバックでよく、そしてユーザからの入力は、音響、スピーチ又は触覚入力を含む任意の形態で受け取られてもよい。
【００６６】
又、これらの具現化は、バックエンドコンポーネント、例えば、データサーバーを含むか、ミドルウェアコンポーネント、例えば、アプリケーションサーバーを含むか、フロントエンドコンポーネント、例えば、グラフィックユーザインターフェイスを有するクライアントコンピュータ、又はユーザが具現体と対話できるようにするウェブブラウザを含むか、或いはそのようなバックエンド、ミドルウェア又はフロントエンドコンポーネントの組み合わせを含むコンピューティングシステムにおいて行われる。これらコンポーネントは、任意の形式のデジタルデータ通信媒体、例えば、通信ネットワークによって相互接続される。この通信ネットワークは、例えば、ローカルエリアネットワーク（ＬＡＮ）及びワイドエリアネットワーク（ＷＡＮ）、例えば、インターネットを含む。
【００６７】
ここに述べる実施形態の幾つかの特徴を説明したが、当業者であれば、多数の変更、置き換え、変化及び等効物が明らかであろう。それ故、本発明の実施形態の真の精神に含まれるこのような全ての変更や変化は、特許請求の範囲に網羅されると理解されたい。
【符号の説明】
【００６８】
１００：ワイヤレスネットワーク
１０２：マクロベースステーション
１０４Ａ、１０４Ｂ、１０４Ｃ：フェムトベースステーション
１０６Ａ、１０６Ｂ、１０６Ｃ：フェムトワイヤレスネットワーク
１０８Ａ、１０８Ｂ、１０８Ｃ、１０８Ｄ：移動ステーション
１１０：インターネット
１１４：ゲートウェイ
１１２、１１６：ガイド型接続
１１８Ａ：ＧＰＳ衛星
１１８Ｂ：ＧＰＳ衛星
１２０Ａ：タイミング信号
１２０Ｂ：タイミング信号
６０２：非ガイド型トランシーバ
６０４：ガイド型トランシーバ
６０６：コントローラ
６０８：メモリ
【図１Ａ】
2011526749.tif 000003
【図１Ｂ】
2011526749.tif 000004
【図２】
2011526749.tif 000005
【図３Ａ】
2011526749.tif 000006
【図３Ｂ】
2011526749.tif 000007
【図４】
2011526749.tif 000008
【図５】
2011526749.tif 000009
【図６】
2011526749.tif 000010
【手続補正書】
【提出日】平成23年2月1日(2011.2.1)
【手続補正１】
【補正対象書類名】特許請求の範囲
【補正対象項目名】全文
【補正方法】変更
【補正の内容】
【特許請求の範囲】
【請求項１】
第１のフェムトベースステーションにより、フェムトベースステーションエアインターフェイスを経て、少なくとも１つの隣接フェムトベースステーションから少なくとも１つの隣接プリアンブルを受信するステップと、
前記第１のフェムトベースステーションにより、ガイド型インターネット接続を経てマクロベースステーションへ干渉レポートを送信するステップであって、この干渉レポートは、前記少なくとも１つの隣接フェムトベースステーションから受信した少なくとも１つの隣接プリアンブルに少なくとも一部分基づくものであるステップと、
前記第１のフェムトベースステーションにより、前記マクロベースステーションからガイド型インターネット接続を経て、リソース割り当てメッセージを受信するステップと、
前記第１のフェムトベースステーションにより、前記フェムトベースステーションエアインターフェイスを経て第１のフェムトベースステーションプリアンブルを送信するステップであって、この第１のフェムトベースステーションプリアンブルは、少なくとも一部分は前記リソース割り当てメッセージにより決定された時間に送信されるものであるステップと、
を備えた方法。
【請求項２】
前記マクロベースステーションのマクロベースステーションエアインターフェイスに適合するプロトコルにより、フェムトベースステーションエアインターフェイスを経て前記フェムトベースステーションが少なくとも１つの移動ステーションと通信することを更に含む、請求項１に記載の方法。
【請求項３】
前記受信は、前記第１のフェムトベースステーションにより、フェムトベースステーションエアインターフェイスを経て、前記少なくとも１つの隣接フェムトベースステーションから少なくとも１つの隣接プリアンブルを受信することを含み、その少なくとも１つの隣接プリアンブルは、前記少なくとも１つの隣接フェムトベースステーションを識別するものであり、更に、前記送信は、前記第１のフェムトベースステーションにより、ガイド型インターネット接続を経て前記マクロベースステーションへ干渉レポートを送信することも含み、この干渉レポートは、前記少なくとも１つの隣接フェムトベースステーションを識別するものである、請求項１に記載の方法。
【請求項４】
前記送信は、前記第１のフェムトベースステーションにより、デジタル加入者ライン（ＤＳＬ）インターネット接続を経て前記マクロベースステーションへ前記干渉レポートを送信することを含む、請求項１に記載の方法。
【請求項５】
前記送信は、前記第１のフェムトベースステーションにより、ガイド型インターネット接続を経て前記マクロベースステーションへ前記干渉レポートを送信することを含み、この干渉レポートは、少なくとも１つの隣接プリアンブルの受信信号強度を指示する、請求項１に記載の方法。
【請求項６】
前記送信は、前記第１のフェムトベースステーションにより、ガイド型インターネット接続及びゲートウェイを経て前記マクロベースステーションへ前記干渉レポートを送信することを含む、請求項１に記載の方法。
【請求項７】
前記送信は、前記第１のフェムトベースステーションにより、前記フェムトベースステーションエアインターフェイスを経て、第１のフェムトベースステーションプリアンブルを送信することを含み、この第１のフェムトベースステーションプリアンブルは、マクロベースステーションプリアンブルが前記マクロベースステーションによりマクロベースステーションエアインターフェイスを経て送信された後のオフセット時間に送信され、このオフセット時間は、少なくとも一部分は前記リソース割り当てメッセージにより決定される、請求項１に記載の方法。
【請求項８】
前記送信は、前記第１のフェムトベースステーションにより、フェムトベースステーションエアインターフェイスを経て、第１のフェムトベースステーションプリアンブルを送信することを含み、この第１のフェムトベースステーションプリアンブルは、前記マクロベースステーションがマクロベースステーションエアインターフェイスを経てマクロベースステーションプリアンブルを送信した、ある数の直交周波数分割多重化（ＯＦＤＭ）記号の後に、送信され、このＯＦＤＭ記号の数は、少なくとも一部分はリソース割り当てメッセージにより決定される、請求項１に記載の方法。
【請求項９】
前記第１のフェムトベースステーションにより前記フェムトベースステーションエアインターフェイスを経てデータを送信するステップを更に備え、このデータは、前記プリアンブルが送信された後に開始し且つ少なくとも一部分は前記リソース割り当てメッセージにより決定された時間に終了する期間中に送信される、請求項１に記載の方法。
【請求項１０】
グローバルポジショニングシステム（ＧＰＳ）衛星からタイミング信号を受信するステップを更に備え、前記プリアンブルの送信は、少なくとも一部分は前記リソース割り当てメッセージ及び前記タイミング信号により決定された時間に前記第１のフェムトベースステーションプリアンブルを送信することを含む、請求項１に記載の方法。
【請求項１１】
前記マクロベースステーションへリソース要求を送信するステップと、
前記マクロベースステーションから第２のリソース割り当てメッセージを受信するステップと、
前記フェムトベースステーションプリアンブルが送信された後に開始し且つ少なくとも一部分はリソース割り当てメッセージにより決定された時間に終了する期間中に、移動ステーションへデータを送信するステップと、
を更に備えた請求項１に記載の方法。
【請求項１２】
前記フェムトベースステーションエアインターフェイスは、ＩＥＥＥ８０２．１６エアインターフェイスを含む、請求項１に記載の方法。
【請求項１３】
マクロベースステーションにより、複数のフェムトベースステーションの各々から、ガイド型インターネット接続を経て干渉レポートを受信するステップであって、この干渉レポートは、隣接フェムトベースステーションから受信したフェムトベースステーションプリアンブルの受信信号強度を指示するものであるステップと、
前記複数のフェムトベースステーションの各々から受信された干渉レポートに基づき、前記複数のフェムトベースステーションがスレッシュホールド干渉レベルを越えると決定するステップと、
前記マクロベースステーションにより、前記ガイド型インターネット接続を経て、前記複数のフェムトベースステーションのうちの少なくとも２つの各々へ、リソース割り当てメッセージを送信するステップであって、このリソース割り当てメッセージは、前記複数のフェムトベースステーションがスレッシュホールド干渉レベルを越えるとの決定に少なくとも一部分基づくものであり、且つ前記複数のフェムトベースステーションの各々がそれらの各フェムトベースステーションプリアンブルをいつ送信すべきか指示するものであるステップと、
を備えた方法。
【請求項１４】
前記マクロベースステーションによりマクロベースステーションエアインターフェイスを経て少なくとも１つの移動ステーションへマクロベースステーションプリアンブルを送信するステップを更に備え、前記リソース割り当てメッセージは、マクロベースステーションプリアンブルの後に、複数のフェムトベースステーションの各々がそれらの各フェムトベースステーションプリアンブルをいつ送信しなければならないかのオフセット時間を指示する、請求項１３に記載の方法。
【請求項１５】
前記送信は、前記複数のフェムトベースステーションへリソース割り当てメッセージを送信することを含み、そのリソース割り当てメッセージは、マクロベースステーションのプリアンブルから、何個の直交周波数分割多重化（ＯＦＤＭ）記号の後に、前記複数のフェムトベースステーションがそれらの各フェムトベースステーションプリアンブルを送信しなければならないか指示する、請求項１３に記載の方法。
【請求項１６】
前記ガイド型インターネット接続を経て前記複数のフェムトベースステーションへ同期メッセージを送信するステップを更に備え、この同期メッセージは、前記マクロベースステーションがいつマクロベースステーションプリアンブルを少なくとも１つの移動ステーションへ送信するか指示し、リソース割り当てメッセージの前記送信は、前記複数のフェムトベースステーションの少なくとも２つへ前記リソース割り当てメッセージを送信することを含み、そのリソース割り当てメッセージは、前記マクロベースステーションがマクロベースステーションプリアンブルを送信したどれほど後に、前記複数のフェムトベースステーションがそれらの各フェムトベースステーションプリアンブルを送信しなければならないか指示する、請求項１３に記載の方法。
【請求項１７】
前記リソース割り当てメッセージは、更に、複数のフェムトベースステーションの各々に対して、複数のフェムトベースステーションの各々がそれらの各フェムトベースステーションプリアンブルの送信後にデータを送信すべき期間を指示する、請求項１３に記載の方法。
【請求項１８】
前記複数のフェムトベースステーションの各々から受信された干渉レポートは、フェムトベースステーションプリアンブルが受信されたところの隣接フェムトベースステーションのアイデンティティを指示する、請求項１３に記載の方法。
【請求項１９】
前記マクロベースステーションにより前記フェムトベースステーションから前記ガイド型インターネット接続を経てリソース要求を受信するステップと、
前記マクロベースステーションにより前記ガイド型インターネット接続を経て前記フェムトベースステーションへ第２のリソース割り当てメッセージを送信するステップであって、この第２のリソース割り当てメッセージは、前記フェムトベースステーションが前記フェムトベースステーションプリアンブルの送信の後にデータを送信すべき期間を指示するものであるステップと、
を更に備えた請求項１３に記載の方法。
【請求項２０】
前記マクロベースステーションは、ＩＥＥＥ  ８０２．１６ＷｉＭＡＸマクロベースステーションを含み、そして前記フェムトベースステーションの各々は、ＩＥＥＥ  ８０２．１６ＷｉＭＡＸフェムトベースステーションを含む、請求項１３に記載の方法。
【請求項２１】
ガイド型インターネット接続を経てマクロベースステーションと通信するように構成されたガイド型トランシーバと、
エアインターフェイスを経て複数の移動ステーションと通信するように構成された非ガイド型トランシーバと、
コントローラであって、
前記非ガイド型トランシーバのエアインターフェイスを経て少なくとも１つの隣接フェムトベースステーションから受信された少なくとも１つの隣接プリアンブルを処理し、
前記少なくとも１つの隣接フェムトベースステーションから受信された少なくとも１つの隣接プリアンブルに少なくとも一部分基づき、前記ガイド型トランシーバを経て前記マクロベースステーションへ送信するための干渉レポートを発生し、
前記マクロベースステーションから前記ガイド型トランシーバを経て受信されたリソース割り当てメッセージを処理し、そして
少なくとも一部分は前記リソース割り当てメッセージにより決定された時間に前記非ガイド型トランシーバが送信するための第１のフェムトベースステーションプリアンブルを発生する、
ように構成されたコントローラと、
を備えた装置。
【請求項２２】
前記コントローラは、更に、前記マクロベースステーションのマクロベースステーションエアインターフェイスに適合するプロトコルにより、非ガイド型トランシーバのエアインターフェイスを経て少なくとも１つの移動ステーションと通信するように構成される、請求項２１に記載の装置。
【請求項２３】
前記コントローラは、
前記少なくとも１つの隣接フェムトベースステーションから前記非ガイド型トランシーバのエアインターフェイスを経て受信された少なくとも１つの隣接プリアンブルを処理するように構成され、その少なくとも１つの隣接プリアンブルは、少なくとも１つの隣接フェムトベースステーションを識別するものであり、
更に、干渉レポートを発生するように構成され、この干渉レポートは、少なくとも１つの隣接フェムトベースステーションを識別するものである、
請求項２１に記載の装置。
【請求項２４】
前記ガイド型トランシーバは、デジタル加入者ライン（ＤＳＬ）を経てインターネットに接続するように構成される、請求項２１に記載の装置。
【請求項２５】
前記コントローラは、干渉レポートを発生するように構成され、この干渉レポートは、少なくとも１つの隣接プリアンブルの受信信号強度を指示する、請求項２１に記載の装置。
【請求項２６】
前記装置は、前記ガイド型インターネット接続及びゲートウェイを経て前記マクロベースステーションへ干渉レポートを送信するように構成される、請求項２１に記載の装置。
【請求項２７】
前記コントローラは、前記マクロベースステーションによりマクロベースステーションエアインターフェイスを経て送信されたマクロベースステーションプリアンブルの後のオフセット時間に前記非ガイド型トランシーバが送信するための第１のフェムトベースステーションプリアンブルを発生するように構成され、そのオフセット時間は、少なくとも一部分はリソース割り当てメッセージにより決定される、請求項２１に記載の装置。
【請求項２８】
前記コントローラは、前記マクロベースステーションがマクロベースステーションエアインターフェイスを経てマクロベースステーションプリアンブルを送信した、ある数の直交周波数分割多重化（ＯＦＤＭ）記号の後に、エアインターフェイスを経て前記非ガイド型トランシーバが送信するための第１のフェムトベースステーションプリアンブルを発生するように構成され、そのＯＦＤＭ記号の数は、少なくとも一部分はリソース割り当てメッセージにより決定される、請求項２１に記載の装置。
【請求項２９】
前記コントローラは、更に、前記プリアンブルが送信された後に開始し且つ少なくとも一部分は前記リソース割り当てメッセージにより決定された時間に終了する期間中に、エアインターフェイスを経て、前記非ガイド型トランシーバが送信するためのデータを発生するように構成された、請求項２１に記載の装置。
【請求項３０】
ＧＰＳ衛星からタイミング信号を受信するように構成されたグローバルポジショニングシステム（ＧＰＳ）受信器を更に備え、前記コントローラは、少なくとも一部分はリソース割り当てメッセージ及びタイミング信号により決定される時間に、エアインターフェイスを経て、前記非ガイド型トランシーバが送信するためのプリアンブルを発生するように構成された、請求項２１に記載の装置。
【請求項３１】
前記コントローラは、更に、
前記ガイド型トランシーバが前記マクロベースステーションへ送信するためのリソース要求を発生し、
前記ガイド型トランシーバが前記マクロベースステーションから受信した第２のリソース割り当てメッセージを処理し、
前記フェムトベースステーションプリアンブルが送信された後に開始し且つ少なくとも一部分は前記リソース割り当てメッセージによって決定された時間に終了する期間中に、前記非ガイド型トランシーバのエアインターフェイスを経て移動ステーションへデータを送信する、
というように構成された請求項２１に記載の装置。
【請求項３２】
前記非ガイド型トランシーバのフェムトベースステーションエアインターフェイスは、ＩＥＥＥ  ８０２．１６エアインターフェイスを含む、請求項２１に記載の装置。
【請求項３３】
ガイド型インターネット接続を経て複数のフェムトベースステーションと通信するように構成されたガイド型トランシーバと、
エアインターフェイスを経て複数の移動ステーションと通信するように構成された非ガイド型トランシーバと、
コントローラであって、
前記複数のフェムトベースステーションから前記ガイド型トランシーバを経て受信された干渉レポートを処理し、この干渉レポートは、隣接フェムトベースステーションから受信されたフェムトベースステーションプリアンブルの受信信号強度を指示し、更に、
前記複数のフェムトベースステーションの各々から受信された干渉レポートに基づいて、前記複数のフェムトベースステーションがスレッシュホールド干渉レベルを越えることを決定し、そして
前記ガイド型トランシーバを経て前記複数のフェムトベースステーションの各々へ前記ガイド型トランシーバが送信するためのリソース割り当てメッセージを発生し、このリソース割り当てメッセージは、前記複数のフェムトベースステーションがスレッシュホールド干渉レベルを越えるとの決定に少なくとも一部分基づくもので、且つ前記複数のフェムトベースステーションの各々がそれらの各フェムトベースステーションプリアンブルをいつ送信すべきか指示する、
ように構成されたコントローラと、
を備えた装置。
【請求項３４】
前記コントローラは、更に、エアインターフェイスを経て少なくとも１つの移動ステーションへ前記非ガイド型トランシーバが送信するためのマクロベースステーションプリアンブルを発生するように構成され、
前記リソース割り当てメッセージは、マクロベースステーションプリアンブルの後に、複数のフェムトベースステーションの各々がそれらの各フェムトベースステーションプリアンブルをいつ送信しなければならないかのオフセット時間を指示する、請求項３３に記載の装置。
【請求項３５】
前記リソース割り当てメッセージは、マクロベースステーションのプリアンブルから、何個の直交周波数分割多重化（ＯＦＤＭ）記号の後に、前記複数のフェムトベースステーションがそれらの各フェムトベースステーションプリアンブルを送信しなければならないか指示する、請求項３３に記載の装置。
【請求項３６】
前記コントローラは、更に、前記ガイド型インターネット接続を経て前記複数のフェムトベースステーションへ前記ガイド型トランシーバが送信するための同期メッセージを発生するように構成され、この同期メッセージは、前記マクロベースステーションがマクロベースステーションプリアンブルを少なくとも１つの移動ステーションへいつ送信するか指示し、
前記リソース割り当てメッセージは、前記マクロベースステーションがマクロベースステーションプリアンブルを送信したどれほど後に、前記複数のフェムトベースステーションがそれらの各フェムトベースステーションプリアンブルを送信しなければならないか指示する、請求項３３に記載の装置。
【請求項３７】
前記リソース割り当てメッセージは、更に、複数のフェムトベースステーションの各々に対して、複数のフェムトベースステーションの各々がそれらの各フェムトベースステーションプリアンブルの送信後にデータを送信すべき期間を指示する、請求項３３に記載の装置。
【請求項３８】
前記複数のフェムトベースステーションの各々から受信された干渉レポートは、フェムトベースステーションプリアンブルが受信されたところの隣接フェムトベースステーションのアイデンティティを指示する、請求項３３に記載の装置。
【請求項３９】
前記コントローラは、更に、
前記複数のフェムトベースステーションの１つから前記ガイド型トランシーバを経て受信されたリソース要求を処理し、
前記ガイド型トランシーバが前記複数のフェムトベースステーションの１つへ送信するための第２のリソース割り当てメッセージを発生し、この第２のリソース割り当てメッセージは、前記フェムトベースステーションが前記フェムトベースステーションプリアンブルの送信の後にデータを送信すべき期間を指示する、請求項３３に記載の装置。
【請求項４０】
前記装置は、ＩＥＥＥ  ８０２．１６ＷｉＭＡＸマクロベースステーションを含み、そして前記フェムトベースステーションの各々は、ＩＥＥＥ  ８０２．１６ＷｉＭＡＸフェムトベースステーションを含む、請求項３３に記載の装置。
【請求項４１】
プリアンブルを送信するためのコンピュータプログラム製品において、このコンピュータプログラム製品は、コンピュータ読み取り可能な媒体上で有形に実施され、そして実行時に、複数の移動ステーションにサービスするフェムトベースステーションが、
フェムトベースステーションのエアインターフェイスを経て少なくとも１つの隣接フェムトベースステーションから少なくとも１つの隣接プリアンブルを受信し、
ガイド型インターネット接続を経てマクロベースステーションへ干渉レポートを送信し、この干渉レポートは、少なくとも１つの隣接フェムトベースステーションから受信された少なくとも１つの隣接プリアンブルに少なくとも一部分基づくものであり、
前記マクロベースステーションから前記ガイド型インターネット接続を経てリソース割り当てメッセージを受信し、
前記フェムトベースステーションのエアインターフェイスを経て、第１のフェムトベースステーションプリアンブルを送信し、この第１のフェムトベースステーションプリアンブルは、少なくとも一部分はリソース割り当てメッセージにより決定された時間に送信されるものである、
ようにさせるよう構成された実行可能なコードを含むコンピュータプログラム製品。
【請求項４２】
前記マクロベースステーションのマクロベースステーションエアインターフェイスに適合するプロトコルにより、フェムトベースステーションエアインターフェイスを経て前記フェムトベースステーションが少なくとも１つの移動ステーションと通信するようにさせるよう構成された、請求項４１に記載のコンピュータプログラム製品。
【請求項４３】
プリアンブルオフセットを決定するためのコンピュータプログラム製品において、このコンピュータプログラム製品は、コンピュータ読み取り可能な媒体上で有形に実施され、そして実行時に、複数のフェムトベースステーションにサービスするマクロベースステーションが、
前記複数のフェムトベースステーションの各々からガイド型インターネット接続を経て干渉レポートを受信し、この干渉レポートは、隣接フェムトベースステーションから受信されたフェムトベースステーションプリアンブルの受信信号強度を指示するものであり、
前記複数のフェムトベースステーションの各々から受信された干渉レポートに基づき、前記複数のフェムトベースステーションがスレッシュホールド干渉レベルを越えることを決定し、
前記複数のフェムトベースステーションの各々へ前記ガイド型インターネット接続を経てリソース割り当てメッセージを送信し、このリソース割り当てメッセージは、前記複数のフェムトベースステーションがスレッシュホールド干渉レベルを越えるとの決定に少なくとも一部分基づくもので、且つ前記複数のフェムトベースステーションの各々がそれらの各フェムトベースステーションプリアンブルをいつ送信すべきか指示するものである、
ようにさせるよう構成された実行可能なコードを含むコンピュータプログラム製品。
【国際調査報告】
2011526749.tif 000011
2011526749.tif 000012
2011526749.tif 000013